(57)【要約】  スマートキャンドルプラットフォームが、天然ワックスキャンドルをプラットフォームの燃料源として、または光を生成できる他の燃料源として使用してキャンドルライトを生成するように構成されてもよく、そのように構成される場合は液体燃料を含む。外部シェル、内部カバー、上部カバー、およびベースは美しい外側シェルを提供し、外側シェルは融解せず、従来のピラーキャンドルの外観を模倣する。外部シェルは変更可能／置換え可能であるので、スタイルおよびまたは季節による変化が可能となり得る。アプリケーションソフトウェアが埋め込まれている他の同様に構成された装置またはスマート装置と通信し得る安全で制御可能な装置を介して自然光を生成するための複数の対話式システムおよびセンサを有するプラットフォームが開示される。プラットフォームは、自動消火を可能にするように、または匂いや香りを加えられるように構成され得る。【選択図】  図３０
2021518651.tif 000002
【特許請求の範囲】
【請求項１】
従来のピラーキャンドルの外観を模倣するように形成された、燃える炎のキャンドルプラットフォームであって、
ａ）上端と下端を連通する中空内部を有し、第１の開口部を形成する外部シェルと、
ｂ）上端と開放下端を連通する中空内部を有する内部カバーであって、前記上端が環状開口部を有し、前記内部カバーが前記外部シェルの前記中空内部内に配置される、内部カバーと、
ｃ）開口を伴って構成された上部カバーであって、前記外部シェル上端の内部に配置され、前記上部カバー開口と前記内部カバー主開口が、前記上部カバー開口から前記内部カバーの下部まで環状開口部を形成するように整列される、上部カバーと、
ｄ）カートリッジとして構成され、前記内部カバーの前記環状開口部に配置される燃料源と、
ｅ）前記外部シェルの前記下端および前記内部カバーの前記下端と協働して係合するように適合され、前記カートリッジを載せることができるベースであって、前記カートリッジを囲むように適合されるベースと
を備える、従来のピラーキャンドルの外観を模倣するように形成された、燃える炎のキャンドルプラットフォーム。
【請求項２】
前記燃料源が、除去可能なカートリッジとして構成され、前記除去可能なカートリッジ内に部分的に配置される芯に燃料を供給するためのものであり、前記燃料が、固体パラフィンワックス、流動パラフィン、大豆、野菜、脂肪酸、精油、および／またはそれらの組合せからなる群から選択される、請求項１に記載の従来のピラーキャンドルの外観を模倣するように形成された、燃える炎のキャンドルプラットフォーム。
【請求項３】
前記内部カバーの前記中空内部が、前記除去可能なカートリッジを前記内部カバー内に固定できるように構成され得る、請求項２に記載の従来のピラーキャンドルの外観を模倣するように形成された、燃える炎のキャンドルプラットフォーム。
【請求項４】
前記内部カバーの前記中空内部が、前記内部カバーの外側に取り付けられた押しボタンにより、除去可能な前記カートリッジを解放できるように構成され得る、請求項３に記載の従来のピラーキャンドルの外観を模倣するように形成された、燃える炎のキャンドルプラットフォーム。
【請求項５】
少なくとも１つのタブが、前記内部カバーからの前記外部シェルの係合解除を可能にするために、前記内部カバーと前記外部シェルとの間に配置される、請求項１に記載の従来のピラーキャンドルの外観を模倣するように形成された、燃える炎のキャンドルプラットフォーム。
【請求項６】
１対のタブが、前記内部カバーからの前記外部シェルの係合解除を可能にするために、前記内部カバーと前記外部シェルとの間に配置される、請求項５に記載の従来のピラーキャンドルの外観を模倣するように形成された、燃える炎のキャンドルプラットフォーム。
【請求項７】
前記１対のタブが、前記内部カバーからの前記外部シェルの係合解除を可能にするために、前記内部カバーの内部に配置され、前記外部シェルの内部まで延びる、請求項６に記載の従来のピラーキャンドルの外観を模倣するように形成された、燃える炎のキャンドルプラットフォーム。
【請求項８】
前記内部カバーを押し下げることで、前記少なくとも１つのタブを係合解除し、前記内部カバーから除去するために前記外部シェルを解放する、請求項５に記載の従来のピラーキャンドルの外観を模倣するように形成された、燃える炎のキャンドルプラットフォーム。
【請求項９】
前記内部カバーの内部に配置され、前記外部シェルの内部まで延びる前記１対のタブが、前記内部カバーの上部に下向きの力を加えたときに前記外部シェルを前記内部カバーから解放するように引っ込められる、請求項７に記載の従来のピラーキャンドルの外観を模倣するように形成された、燃える炎のキャンドルプラットフォーム。
【請求項１０】
前記内部カバーの内部に配置され、前記外部シェルの内部まで延びる前記１対のタブが、前記内部カバーの上部に下向きの力を加えたときに前記外部シェルを前記内部カバーに係合させるように延長される、請求項９に記載の従来のピラーキャンドルの外観を模倣するように形成された、燃える炎のキャンドルプラットフォーム。
【請求項１１】
香りリングが、前記上部カバー開口の近くに配置される、請求項１に記載の従来のピラーキャンドルの外観を模倣するように形成された、燃える炎のキャンドルプラットフォーム。
【請求項１２】
香りリングが、前記上部カバー開口の近くに配置される香りパン内に配置される、請求項６に記載の従来のピラーキャンドルの外観を模倣するように形成された、燃える炎のキャンドルプラットフォーム。
【請求項１３】
香りリングが、前記上部カバー開口の近くに配置される香りパン内に配置される、請求項１に記載の従来のピラーキャンドルの外観を模倣するように形成された、燃える炎のキャンドルプラットフォーム。
【請求項１４】
香りリングが、前記上部カバー開口の近くに配置され、前記燃える炎の熱が香りの分散を促進する、請求項２に記載の従来のピラーキャンドルの外観を模倣するように形成された、燃える炎のキャンドルプラットフォーム。
【請求項１５】
点火器が芯の近くに配置される、請求項１に記載の従来のピラーキャンドルの外観を模倣するように形成された、燃える炎のキャンドルプラットフォーム。
【請求項１６】
複数の点火器があり、前記点火器のそれぞれが、インデキシング可能であり、前記芯の近くに配置される、請求項１５に記載の従来のピラーキャンドルの外観を模倣するように形成された、燃える炎のキャンドルプラットフォーム。
【請求項１７】
点火器が芯の近くに配置され、前記点火器が、電子的に制御される点火器システムに結合される、請求項１に記載の従来のピラーキャンドルの外観を模倣するように形成された、燃える炎のキャンドルプラットフォーム。
【請求項１８】
前記点火器が、電子的に制御される点火器システムに結合される、請求項１６に記載の従来のピラーキャンドルの外観を模倣するように形成された、燃える炎のキャンドルプラットフォーム。
【請求項１９】
少なくとも１つのセンサが、芯の近くに配置され、前記少なくとも１つのセンサが、電子的に制御される制御システムに結合される、請求項１に記載の従来のピラーキャンドルの外観を模倣するように形成された、燃える炎のキャンドルプラットフォーム。
【請求項２０】
前記少なくとも１つのセンサが、連続性センサ、加速度計、ジャイロスコープ、磁気ベースの近接センサ、視覚ベースの近接センサ、燃料レベルセンサ、火炎センサ、赤外線センサ、サーモパイルセンサ、および／またはそれらの組合せからなる群から選択される、請求項１９に記載の従来のピラーキャンドルの外観を模倣するように形成された、燃える炎のキャンドルプラットフォーム。
【請求項２１】
前記少なくとも１つの制御システムが、オン／オフスイッチ、点火制御システム、消火システム、赤外線（ＩＲ）遠隔制御システム、タイマ、燃料制御システム、燃料供給制御システム、燃料貯蔵制御システム、燃料レベルシステム、および／またはそれらの組合せからなる群から選択される、請求項２０に記載の従来のピラーキャンドルの外観を模倣するように形成された、燃える炎のキャンドルプラットフォーム。
【請求項２２】
従来のピラーキャンドルの外観を模倣するように形成された、燃える炎のキャンドルプラットフォームであって、
ａ）上端と下端を連通する中空内部を有し、第１の開口部を形成する外部シェルと、
ｂ）前記外部シェルの内側に配置される内部カバーであって、前記内部カバーが、
ｉ）中空内部を形成するように上部開口部が下部開口部に連通される、支持フレームと、
ｉｉ）中空内部を形成するように上部開口部が下部開口部に連通される、保護カバーであって、前記支持フレームと係合しかつ前記支持フレームを取り囲むように構成された保護カバーと、
ｉｉｉ）中空内部を形成するように上部開口部が下部開口部に連通される、シェル支持体であって、前記保護カバーと前記外部シェルとの間に配置されるシェル支持体と
をさらに備える内部カバーと、
ｃ）カートリッジとして構成され、前記内部カバーの前記支持フレーム内に配置される燃料源と、
ｅ）前記外部シェルの前記下端および前記内部カバーの下端と協働して係合するように適合され、前記カートリッジを載せることができるベースであって、前記カートリッジを囲むように適合されるベースと
を備える、従来のピラーキャンドルの外観を模倣するように形成された、燃える炎のキャンドルプラットフォーム。
【請求項２３】
点火アセンブリが、前記支持フレームの上端に配置され、前記支持フレームの近くに配置される電池に電気的に接続される、請求項２２に記載の従来のピラーキャンドルの外観を模倣するように形成された、燃える炎のキャンドルプラットフォーム。
【請求項２４】
点火アセンブリが、前記支持フレームの上端にかつ上部カバーの下に配置される、請求項２２に記載の従来のピラーキャンドルの外観を模倣するように形成された、燃える炎のキャンドルプラットフォーム。
【請求項２５】
点火アセンブリが、前記支持フレームの上端にかつ香りパンの下に配置される、請求項２２に記載の従来のピラーキャンドルの外観を模倣するように形成された、燃える炎のキャンドルプラットフォーム。
【請求項２６】
香りリングが前記香りパン内に配置される、請求項２５に記載の従来のピラーキャンドルの外観を模倣するように形成された、燃える炎のキャンドルプラットフォーム。
【請求項２７】
前記香りパンが、少なくとも、香りリングを収容するように前記香りパンに形成された開口を有する、請求項２５に記載の従来のピラーキャンドルの外観を模倣するように形成された、燃える炎のキャンドルプラットフォーム。
【請求項２８】
前記香りパンが、前記点火アセンブリに載るように構成される、請求項２７に記載の従来のピラーキャンドルの外観を模倣するように形成された、燃える炎のキャンドルプラットフォーム。
【請求項２９】
前記内部カバーの前記中空内部が、前記内部カバーの外側に取り付けられた押しボタンにより、除去可能な前記カートリッジを解放できるように構成され得る、請求項２２に記載の従来のピラーキャンドルの外観を模倣するように形成された、燃える炎のキャンドルプラットフォーム。
【請求項３０】
少なくとも１つのタブが、前記内部カバーからの前記外部シェルの係合解除を可能にするために、前記内部カバーと前記外部シェルとの間に配置される、請求項２２に記載の従来のピラーキャンドルの外観を模倣するように形成された、燃える炎のキャンドルプラットフォーム。
【請求項３１】
１対のタブが、前記内部カバーからの前記外部シェルの係合解除を可能にするために、前記内部カバーと前記外部シェルとの間に配置される、請求項２２に記載の従来のピラーキャンドルの外観を模倣するように形成された、燃える炎のキャンドルプラットフォーム。
【請求項３２】
前記１対のタブが、前記内部カバーからの前記外部シェルの係合解除を可能にするために、前記内部カバーの内部に配置され、前記外部シェルの内部まで延びる、請求項３１に記載の従来のピラーキャンドルの外観を模倣するように形成された、燃える炎のキャンドルプラットフォーム。
【請求項３３】
前記内部カバーを押し下げることで、少なくとも１つのタブを係合解除し、前記内部カバーから除去するために前記外部シェルを解放する、請求項２２に記載の従来のピラーキャンドルの外観を模倣するように形成された、燃える炎のキャンドルプラットフォーム。
【請求項３４】
前記内部カバーの内部に配置され、前記外部シェルの内部まで延びる前記１対のタブが、前記内部カバーの上部に下向きの力を加えたときに前記外部シェルを前記内部カバーから解放するように引っ込められる、請求項３１に記載の従来のピラーキャンドルの外観を模倣するように形成された、燃える炎のキャンドルプラットフォーム。
【請求項３５】
前記内部カバーの内部に配置され、前記外部シェルの内部まで延びる前記１対のタブが、前記内部カバーの上部に下向きの力を加えたときに前記外部シェルを前記内部カバーに係合させるように延長される、請求項３１に記載の従来のピラーキャンドルの外観を模倣するように形成された、燃える炎のキャンドルプラットフォーム。
【請求項３６】
香りリングが、上部カバー開口の近くに配置される、請求項２２に記載の従来のピラーキャンドルの外観を模倣するように形成された、燃える炎のキャンドルプラットフォーム。
【請求項３７】
前記香りリングが、前記上部カバー開口の近くに配置される香りパン内に配置される、請求項３６に記載の従来のピラーキャンドルの外観を模倣するように形成された、燃える炎のキャンドルプラットフォーム。
【請求項３８】
香りリングが、上部カバー開口の近くに配置される香りパン内に配置される、請求項２２に記載の従来のピラーキャンドルの外観を模倣するように形成された、燃える炎のキャンドルプラットフォーム。
【請求項３９】
香りリングが、前記上部カバー開口の近くに配置され、前記燃える炎の熱が香りの分散を促進する、請求項３７に記載の従来のピラーキャンドルの外観を模倣するように形成された、燃える炎のキャンドルプラットフォーム。
【請求項４０】
芯が、前記カートリッジの上端から露出部分が延びた状態で前記カートリッジ内に配置される、請求項２２に記載の従来のピラーキャンドルの外観を模倣するように形成された、燃える炎のキャンドルプラットフォーム。
【請求項４１】
点火器が前記芯の近くに配置される、請求項４０に記載の従来のピラーキャンドルの外観を模倣するように形成された、燃える炎のキャンドルプラットフォーム。
【請求項４２】
複数の点火器があり、前記点火器のそれぞれが、インデキシング可能であり、前記芯の近くに配置される、請求項４０に記載の従来のピラーキャンドルの外観を模倣するように形成された、燃える炎のキャンドルプラットフォーム。
【請求項４３】
点火器が前記芯の近くに配置され、前記点火器が、電子的に制御される点火器システムに結合される、請求項４０に記載の従来のピラーキャンドルの外観を模倣するように形成された、燃える炎のキャンドルプラットフォーム。
【請求項４４】
前記点火器が、電子的に制御される点火器システムに結合される、請求項４１に記載の従来のピラーキャンドルの外観を模倣するように形成された、燃える炎のキャンドルプラットフォーム。
【請求項４５】
カートリッジが、前記支持フレームからの除去および交換を容易にする少なくとも１つの保持溝を伴って構成される、請求項４０に記載の従来のピラーキャンドルの外観を模倣するように形成された、燃える炎のキャンドルプラットフォーム。
【請求項４６】
少なくとも１つのセンサが前記芯の近くに配置され、前記少なくとも１つのセンサが、電子的に制御される制御システムに結合される、請求項４０に記載の従来のピラーキャンドルの外観を模倣するように形成された、燃える炎のキャンドルプラットフォーム。
【請求項４７】
前記少なくとも１つのセンサが、連続性センサ、加速度計、ジャイロスコープ、磁気ベースの近接センサ、視覚ベースの近接センサ、燃料レベルセンサ、火炎センサ、赤外線センサ、サーモパイルセンサ、および／またはそれらの組合せからなる群から選択される、請求項４６に記載の従来のピラーキャンドルの外観を模倣するように形成された、燃える炎のキャンドルプラットフォーム。
【請求項４８】
前記少なくとも１つの制御システムが、オン／オフスイッチ、点火制御システム、消火システム、赤外線（ＩＲ）遠隔制御システム、タイマ、燃料制御システム、燃料供給制御システム、燃料貯蔵制御システム、燃料レベルシステム、および／またはそれらの組合せからなる群から選択される、請求項４７に記載の従来のピラーキャンドルの外観を模倣するように形成された、燃える炎のキャンドルプラットフォーム。
【請求項４９】
従来のピラーキャンドルの外観を模倣するように形成された、燃える炎のキャンドルプラットフォームであって、
ａ）開口部を有する上部カバーと、
ｂ）上端と下端を連通する中空内部を有する外部シェルであって、前記上部カバー開口部と整列される第１の開口部を形成する外部シェルと、
ｃ）前記外部シェルの内側に配置される内部カバーであって、前記内部カバーが、
ｉ）中空内部を形成するように上部開口部が下部開口部に連通される支持フレームと、
ｉｉ）中空内部を形成するように上部開口部が下部開口部に連通される保護カバーであって、前記支持フレームと係合し、前記支持フレームを取り囲むように構成された保護カバーと、
ｉｉｉ）中空内部を形成するように上部開口部が下部開口部に連通される、シェル支持体であって、前記保護カバーと前記外部シェルとの間に配置されるシェル支持体と
をさらに備える内部カバーと、
ｄ）カートリッジとして構成され、前記内部カバーの前記支持フレーム内に配置される燃料源と、
ｅ）前記外部シェルの前記下端および前記内部カバーの前記下端と協働して係合するように適合され、前記カートリッジを載せることができるベースであって、前記カートリッジを囲むように適合されるベースと
を備える、従来のピラーキャンドルの外観を模倣するように形成された、燃える炎のキャンドルプラットフォーム。
【請求項５０】
点火アセンブリが、前記支持フレームの上端に配置され、前記支持フレームの近くに配置される電池に電気的に接続される、請求項４９に記載の従来のピラーキャンドルの外観を模倣するように形成された、燃える炎のキャンドルプラットフォーム。
【請求項５１】
点火アセンブリが、前記支持フレームの上端にかつ前記上部カバーの下に配置される、請求項４９に記載の従来のピラーキャンドルの外観を模倣するように形成された、燃える炎のキャンドルプラットフォーム。
【請求項５２】
点火アセンブリが、前記支持フレームの上端にかつ前記上部カバーの下に配置される香りパンの下に配置される、請求項４９に記載の従来のピラーキャンドルの外観を模倣するように形成された、燃える炎のキャンドルプラットフォーム。
【請求項５３】
香りリングが前記香りパン内に配置される、請求項５２に記載の従来のピラーキャンドルの外観を模倣するように形成された、燃える炎のキャンドルプラットフォーム。
【請求項５４】
前記香りパンが、少なくとも、香りリングを収容するように前記香りパンに形成された開口を有する、請求項５２に記載の従来のピラーキャンドルの外観を模倣するように形成された、燃える炎のキャンドルプラットフォーム。
【請求項５５】
前記香りパンが、前記点火アセンブリに載るように構成される、請求項５３に記載の従来のピラーキャンドルの外観を模倣するように形成された、燃える炎のキャンドルプラットフォーム。
【請求項５６】
前記上部カバーが香りパンとして構成される、請求項４９に記載の従来のピラーキャンドルの外観を模倣するように形成された、燃える炎のキャンドルプラットフォーム。
【請求項５７】
前記内部カバーの前記中空内部が、前記内部カバーの外側に取り付けられた押しボタンにより、除去可能な前記カートリッジを解放できるように構成され得る、請求項４９に記載の従来のピラーキャンドルの外観を模倣するように形成された、燃える炎のキャンドルプラットフォーム。
【請求項５８】
少なくとも１つのタブが、前記内部カバーからの前記外部シェルの係合解除を可能にするために、前記内部カバーと前記外部シェルとの間に配置される、請求項４９に記載の従来のピラーキャンドルの外観を模倣するように形成された、燃える炎のキャンドルプラットフォーム。
【請求項５９】
１対のタブが、前記内部カバーからの前記外部シェルの係合解除を可能にするために、前記内部カバーと前記外部シェルとの間に配置される、請求項４９に記載の従来のピラーキャンドルの外観を模倣するように形成された、燃える炎のキャンドルプラットフォーム。
【請求項６０】
前記１対のタブが、前記内部カバーからの前記外部シェルの係合解除を可能にするために、前記内部カバーの内部に配置され、前記外部シェルの内部まで延びる、請求項５９に記載の従来のピラーキャンドルの外観を模倣するように形成された、燃える炎のキャンドルプラットフォーム。
【請求項６１】
前記内部カバーを押し下げることで、前記少なくとも１つのタブを係合解除し、前記内部カバーから除去するために前記外部シェルを解放する、請求項５８に記載の従来のピラーキャンドルの外観を模倣するように形成された、燃える炎のキャンドルプラットフォーム。
【請求項６２】
前記内部カバーの内部に配置され、前記外部シェルの内部まで延びる前記１対のタブが、前記内部カバーの上部に下向きの力を加えたときに前記外部シェルを前記内部カバーから解放するように引っ込められる、請求項５９に記載の従来のピラーキャンドルの外観を模倣するように形成された、燃える炎のキャンドルプラットフォーム。
【請求項６３】
前記内部カバーの内部に配置され、前記外部シェルの内部まで延びる前記１対のタブが、前記内部カバーの上部に下向きの力を加えたときに前記外部シェルを前記内部カバーに係合させるように延長される、請求項５９に記載の従来のピラーキャンドルの外観を模倣するように形成された、燃える炎のキャンドルプラットフォーム。
【請求項６４】
香りリングが、前記上部カバー開口の近くに配置される、請求項５９に記載の従来のピラーキャンドルの外観を模倣するように形成された、燃える炎のキャンドルプラットフォーム。
【請求項６５】
香りリングが、前記上部カバー開口の近くに配置される香りパン内に配置される、請求項５９に記載の従来のピラーキャンドルの外観を模倣するように形成された、燃える炎のキャンドルプラットフォーム。
【請求項６６】
香りリングが、前記上部カバー開口の近くに配置される香りパン内に配置される、請求項６２に記載の従来のピラーキャンドルの外観を模倣するように形成された、燃える炎のキャンドルプラットフォーム。
【請求項６７】
香りリングが、前記上部カバー開口の近くに配置され、前記燃える炎の熱が香りの分散を促進する、請求項４９に記載の従来のピラーキャンドルの外観を模倣するように形成された、燃える炎のキャンドルプラットフォーム。
【請求項６８】
芯が、前記カートリッジの上端から露出部分が延びた状態で前記カートリッジ内に配置される、請求項４９に記載の従来のピラーキャンドルの外観を模倣するように形成された、燃える炎のキャンドルプラットフォーム。
【請求項６９】
点火器が前記芯の近くに配置される、請求項６８に記載の従来のピラーキャンドルの外観を模倣するように形成された、燃える炎のキャンドルプラットフォーム。
【請求項７０】
複数の点火器があり、前記点火器のそれぞれが、インデキシング可能であり、前記芯の近くに配置される、請求項６８に記載の従来のピラーキャンドルの外観を模倣するように形成された、燃える炎のキャンドルプラットフォーム。
【請求項７１】
点火器が前記芯の近くに配置され、前記点火器が、電子的に制御される点火器システムに結合される、請求項６８に記載の従来のピラーキャンドルの外観を模倣するように形成された、燃える炎のキャンドルプラットフォーム。
【請求項７２】
前記点火器が、電子的に制御される点火器システムに結合される、請求項６９に記載の従来のピラーキャンドルの外観を模倣するように形成された、燃える炎のキャンドルプラットフォーム。
【請求項７３】
前記カートリッジが、前記支持フレームからの除去および交換を容易にする少なくとも１つの保持溝を伴って構成される、請求項４９に記載の従来のピラーキャンドルの外観を模倣するように形成された、燃える炎のキャンドルプラットフォーム。
【請求項７４】
少なくとも１つのセンサが前記芯の近くに配置され、前記少なくとも１つのセンサが、電子的に制御される制御システムに結合される、請求項６８に記載の従来のピラーキャンドルの外観を模倣するように形成された、燃える炎のキャンドルプラットフォーム。
【請求項７５】
少なくとも１つのセンサが、連続性センサ、加速度計、ジャイロスコープ、磁気ベースの近接センサ、視覚ベースの近接センサ、燃料レベルセンサ、火炎センサ、赤外線センサ、サーモパイルセンサ、および／またはそれらの組合せからなる群から選択される、請求項４９に記載の従来のピラーキャンドルの外観を模倣するように形成された、燃える炎のキャンドルプラットフォーム。
【請求項７６】
前記少なくとも１つの制御システムが、オン／オフスイッチ、点火制御システム、消火システム、赤外線（ＩＲ）遠隔制御システム、タイマ、燃料制御システム、燃料供給制御システム、燃料貯蔵制御システム、燃料レベルシステム、および／またはそれらの組合せからなる群から選択される、請求項７４に記載の従来のピラーキャンドルの外観を模倣するように形成された、燃える炎のキャンドルプラットフォーム。
【請求項７７】
前記外部シェルが交換可能である、請求項４９に記載の従来のピラーキャンドルの外観を模倣するように形成された、燃える炎のキャンドルプラットフォーム。
【請求項７８】
前記外部シェルが固定される、請求項４９に記載の従来のピラーキャンドルの外観を模倣するように形成された、燃える炎のキャンドルプラットフォーム。
【請求項７９】
前記内部カバーが交換可能である、請求項４９に記載の従来のピラーキャンドルの外観を模倣するように形成された、燃える炎のキャンドルプラットフォーム。
【請求項８０】
前記シェル支持体、前記保護カバー、および前記支持フレームが交換可能である、請求項４９に記載の従来のピラーキャンドルの外観を模倣するように形成された、燃える炎のキャンドルプラットフォーム。
【請求項８１】
前記内部カバーが固定される、請求項４９に記載の従来のピラーキャンドルの外観を模倣するように形成された、燃える炎のキャンドルプラットフォーム。
【請求項８２】
前記シェル支持体、前記保護カバー、および前記支持フレームが固定される、請求項４９に記載の従来のピラーキャンドルの外観を模倣するように形成された、燃える炎のキャンドルプラットフォーム。
【請求項８３】
前記燃料源が交換可能である、請求項４９に記載の従来のピラーキャンドルの外観を模倣するように形成された、燃える炎のキャンドルプラットフォーム。
【請求項８４】
前記燃料源が固定される、請求項４９に記載の従来のピラーキャンドルの外観を模倣するように形成された、燃える炎のキャンドルプラットフォーム。
【請求項８５】
前記燃料源が補充可能である、請求項４９に記載の従来のピラーキャンドルの外観を模倣するように形成された、燃える炎のキャンドルプラットフォーム。
【請求項８６】
前記燃料源が前記上部カバーの開口部を通して補充可能である、請求項４９に記載の従来のピラーキャンドルの外観を模倣するように形成された、燃える炎のキャンドルプラットフォーム。
【発明の詳細な説明】
【技術分野】
【０００１】
関連出願の相互参照：本出願はまた、参照により本明細書に組み込まれる、２０１８年３月２１日に出願された米国実用特許仮出願第６２／６４６，３３７号明細書の優先権を主張するものである。
【背景技術】
【０００２】
［発明の背景−発明の分野］
開示されるように、スマートキャンドルプラットフォームおよびシステム（Ｓｍａｒｔ  Ｃａｎｄｌｅ  Ｐｌａｔｆｏｒｍ  ａｎｄ  Ｓｙｓｔｅｍ）は、照明体験を改善する構造を提供する、油やワックス（ｗａｘ）などの天然燃料を使用する照明装置およびシステムである。少なくとも１つの実施形態では、内部に配置されたキャンドルアセンブリ（ｃａｎｄｌｅ  ａｓｓｅｍｂｌｙ）により、置換え可能な外部シェル（ｒｅｐｌａｃｅａｂｌｅ  ｏｕｔｅｒ  ｓｈｅｌｌ）が可能になり、キャンドルアセンブリのばね式ボトムフィードにより安全性が改善する。他の実施形態では、運転中の安全性および楽しみを高めるための電気的または電子的制御のために、スマートキャンドルプラットフォームおよびシステムに点火システム、制御システム、および通信システムを追加することができる。キャンドルライト（ｃａｎｄｌｅ  ｌｉｇｈｔ）は望ましく、消費者は、キャンドルライトを「ロマンチックな」または「自然の」光源として楽しむ。しかしながら、従来のキャンドルおよびこのキャンドルの運転は、運転および安全上の懸念から、一般に望ましいとは言えない。
【発明の概要】
【０００３】
開示されるスマートキャンドルプラットフォームおよびシステムは、特定の構成を受けて、燃える炎（ｌｉｖｉｎｇ  ｆｌａｍｅ）の「キャンドル」を使用することの多くの一般的な運転および安全上の問題を解決する。周知のように、火のついたキャンドルは、特に転倒または落下を伴う事故による火災の一般的な原因である。例えば、何かがキャンドルの炎の上に落ちたり、キャンドルの炎に近すぎたりすると、火災を引き起こし得る。また、例えば、キャンドルが適切に組み付けられていない場合、偶発的な火災が結果として起こり得る、および／または、熱ワックスが蓄積し流出して混乱や不快感を引き起こし得る。周知のように、典型的なキャンドルは手動で操作され、ユーザが直接触れる必要があり、ユーザは各キャンドルの所に行き、そのキャンドルを手動で個々に着火／消火する必要がある。これにより、キャンドル配置オプションも制限される。
【０００４】
［開示の概要］
開示されるスマートキャンドルプラットフォームおよびシステムは、従来のワックスピラーキャンドルに匹敵する審美的に心地よいパッケージを提供しながら、安全性を高め、制御を改善し、一般にユーザ体験を向上させ高めるために、複数のセンサ、制御システムおよび通信システムを含む、安全性および操作を高める多数の様々なシステムで使用することを可能にするフレームおよび構造を使用して、自然の炎または燃える炎のキャンドルの美しさとロマンスを提供する照明システムを企図している。一実施形態では、スマートキャンドルプラットフォームおよびシステムは、安全性および操作を高めるための置換え可能な化粧外部シェルと共に、固有の内部フレーム、上部カバー、キャンドルアセンブリ（または燃料アセンブリ）およびベースを使用して「シンプルキャンドル（Ｓｉｍｐｌｅ  Ｃａｎｄｌｅ）」として構成され得る。一実施形態では、ワックスオーバフロートラフ（ｗａｘ  ｏｖｅｒｆｌｏｗ  ｔｒｏｕｇｈ）が、上部カバー開口の近くに組み込まれてもよい。一実施形態では、火炎位置制御が組み込まれてもよい。シンプルキャンドルは、直接噴射により、または燃える炎に近接する香り注入リングを介して香りを組み込み得る。センサｐｃｂ３９および点火器リング（ｉｇｎｉｔｏｒ  ｒｉｎｇ）３６に隣接して配置される本開示で有用な考えられる香りリング４７の簡略図を示す本明細書の図３Ｅを参照されたい。シンプルキャンドルは、下部対上部から供給するキャンドルまたは燃料アセンブリによって可能になる改善された安全性も組み込み得る。下部対上部の基本構造。
【０００５】
一実施形態では、スマートキャンドルプラットフォームおよびシステムは、シンプルキャンドルの特徴の全部とは言わないが少なくとも１つを伴って構成されてもよく、さらに、操作がより安全であり、危険な状況での自己消火を単独でまたは組み合わせて可能にし得る基本技術を実装する置換え可能な外部シェルを有する「セーフキャンドル（Ｓａｆｅ  Ｃａｎｄｌｅ）」を生産するためにさらなる安全性のための以下の追加要素（排気ファンおよび／または火炎消火用の加圧ＣＯ２キャニスタを含む）のうちの少なくとも１つをさらに組み込み得る。「セーフキャンドル」は、例として、制限または制約なしに、傾斜または転倒を示す少なくとも１つのセンサと、燃える炎に関連する物体近接センサと、スマートキャンドルプラットフォームの連続性故障、すなわち内部スリーブからのベースの係合解除を示す少なくとも１つのセンサと、をも組み込み得る。一実施形態では、マイクロコントローラユニットが、少なくとも１つのセンサおよび少なくとも１つの制御用システムを介して収集されたデータを調整するために実装され得る。セーフキャンドルの実施形態は、電池パックを含んでいてもよく、あるいは家庭用電気システムで使用するためのシガレットライタや標準的な壁コンセントなどの外部電源から電力を受け取ってもよい。
【０００６】
一実施形態では、スマートキャンドルプラットフォームおよびシステムはまた、シンプルキャンドルおよびセーフキャンドルの実施形態の特徴の全部とは言わないが少なくとも１つを伴って構成されてもよく、さらに、スマートフォンおよび／またはスマートフォンアプリを介した通信および制御のために構成された「スマートキャンドル」を生産するために、追加の楽しみのための以下の追加要素のうちの少なくとも１つを組み込み得る。
【０００７】
スマートキャンドルプラットフォームおよびシステムの一実施形態では、システムをオン／オフにするためのオン／オフスイッチと同じくらい単純であり得る制御システムが追加されてもよい。スマートフォンアプリと組み合わせると、この操作は遠隔で行うことができる。本明細書に開示されるように、一実施形態では、転倒／落下センサ（別名、加速度計）の追加は、火炎の消火をトリガ（制御）するとともに、点火器（バーナ）が係合されるのを妨げ、シンプルキャンドル、セーフキャンドルまたはスマートキャンドル、およびそれらの組合せを用いて何らかの方法または程度で実施され得る。
【０００８】
スマートキャンドルプラットフォームおよびシステムの一実施形態では、近接センサの追加は、同様に、何かが「安全」近接ゾーンに違反したときに、例えば、カーテンがキャンドルシェルを塞ぐかまたはキャンドルシェルに接触している場合に、火炎が存在するのを妨げる。スマートキャンドルプラットフォームおよびシステムの別の実施形態では、連続性センサを含めることにより、燃料カートリッジ、点火器および／または開口が適切に組み立てられていないか、または位置合わせされていないときの火炎の発生が防止される。
【０００９】
一実施形態では、内部スリーブとベースとの間に配置された連続性センサが、ベースと内部スリーブとの間に不適切な整列または係合解除がある場合に火炎の発生を妨げる。
【００１０】
スマートキャンドルプラットフォームおよびシステムの一実施形態では、燃料補給の必要性をユーザに示すために、燃料レベルセンサが組み込まれてもよく、さらに、このセンサは、燃料切れの場合に自動シャットダウンを開始するために制御システムに接続されてもよい。
【００１１】
スマートキャンドルプラットフォームおよびシステムの一実施形態では、危険な状況の場合、すなわち、燃える炎の外部で発火する可能性を示す上部カバー開口の外部の火炎を検出した場合に自動または半自動シャットダウンを開始するために、火炎検出システムが制御システムに組み込まれてもよく、制御システムに統合されてもよい。
【００１２】
スマートキャンドルプラットフォームおよびシステムの一実施形態では、危険な状況の場合、すなわち、燃える炎の外部で発火する可能性を示す上部カバーでの高温を検出した場合に自動または半自動シャットダウンを開始するために、温度センサが制御システムに組み込まれてもよく、制御システムに統合されてもよい。
【００１３】
スマートキャンドルプラットフォームおよびシステムの一実施形態では、通信システムを含めることにより、音声、声、Ｂｌｕｅｔｏｏｔｈ（登録商標）、Ｂｌｕｅｔｏｏｔｈ（登録商標）  Ｌｏｗ  Ｅｎｅｒｇｙ、ＷｉＦｉ、ＲＦ、セルラーおよび／またはその他のワイヤレス通信周波数、あるいは他の既存の「スマートホーム標準」ネットワーク、すなわちＡｐｐｌｅ  Ｈｏｍｅ  Ｋｉｔ、Ｇｏｏｇｌｅ／Ｎｅｓｔ  Ｔｈｒｅａｄ、Ｚｉｇｂｙ、ＷｅＭｏ、Ｚ−ｗａｖｅなどを介して単独でまたはそれらの組合せで、リモート、コンピュータ、またはスマートフォンアプリとの無線での通信が可能になり、それにより、１つまたは複数のスマートキャンドルを遠隔で個々にまたはグループもしくはゾーンごとに着火および消火する際の融通性のための無限ユーザ制御が可能になる。当業者なら理解するように、これは、単一の遠隔制御で、または一例として「スマートフォン」上のソフトウェアアプリケーションで行うことができる。これらの通信は、個々のスマートキャンドル、相互に通信するスマートキャンドルのグループ、または単一のハブに、次いでそのハブと通信する複数のスマートキャンドルのいずれかを制御するために、単独でまたは一緒に作動する通信および制御システムを介して直接管理され得る。
【００１４】
添付の図面は、本明細書に組み込まれ、その一部を構成するものであり、諸実施形態を例示し、説明と共に、本明細書に開示されるスマートキャンドルプラットフォームおよびシステム（以下、単に「スマートキャンドルプラットフォーム」と呼ぶ）の原理を説明し例示するのに役立つ。
【図面の簡単な説明】
【００１５】
【図１】本明細書に開示されるスマートキャンドルプラットフォームの一実施形態と本発明を構成し得る様々な相互接続されたサブシステムとの分解図である。
【図２】動作中の本明細書に開示されるスマートキャンドルプラットフォームの一実施形態の外側部分の斜視図である。
【図２Ａ】図２のスマートキャンドルプラットフォームの分解図であり、外部シェル、上部カバーおよび内部カバーのさらなる構造および組立の詳細を提供する。
【図２Ｂ】図２のスマートキャンドルプラットフォームの別の分解図であり、フィーダ管、キャンドル、ばねおよびばねロックのさらなる構造および組立の詳細を提供する。
【図２Ｂ−１】ベース内に配置されたキャンドルアセンブリを示すためにベースキャップが除去されたベースの底面図である。
【図２Ｃ】図２のスマートキャンドルプラットフォーム、特にベースおよびベースキャップの分解図である。
【図２Ｄ】図２のスマートキャンドルプラットフォームの組立図であり、内部カバーの下部をベース、ベース足、およびベースキャップに取り付けるためのさらなる構造および組立の詳細を提供する。
【図２Ｄ−１】ベースキャップが除去されたベースおよび内部カバーの組立底面図である。
【図２Ｅ】図２のスマートキャンドルプラットフォームの組立図であり、内部カバーが中間フレームを囲み、内部カバー内で様々な電子および動作構成要素が中間フレームに取り付けられた構造および組立の詳細を提供する。
【図２Ｆ】図２のスマートキャンドルプラットフォームの組立上面図であり、内部カバーが中間フレームを囲み、内部カバー内で様々な電子および動作構成要素が中間フレームに取り付けられ、上部カバーが内部カバー内に配置された構造および組立の詳細を提供する。
【図３Ａ】動作中の本明細書に開示されるスマートキャンドルプラットフォームの一実施形態の斜視図であるが、ベースに載っている中間フレームと中間フレーム内に取り付けられた様々な相互作用構成要素とを含む、スマートキャンドルプラットフォームの内部作動部分をよりよく開示するために、外部シェル、上部カバーおよび内部カバーが除去されている。
【図３Ｂ】図３に全体にわたって開示される、中間フレームとベースに載っている、中間フレーム内に取り付けられた様々な相互作用構成要素との反対側斜視図である。
【図３Ｂ−１】図３Ｂの詳細図であるが、中間フレームに取り付けられたｐｃｂおよび連続性センサの位置をよりよく示すために、ベースが除去されている。
【図３Ｃ】ファンのみがその中に取り付けられている中間フレームの反対側の斜視図である。
【図３Ｃ−１】ファンのみがその中に取り付けられている中間フレームの上部の斜視図であり、中間フレーム開口に近接するワックス回収トラフの詳細図を提供する。
【図３Ｄ】図２および図３で開示されるスマートキャンドルプラットフォームの実施形態の分解図であり、中間フレームに関連するスマートキャンドルプラットフォームの内部とファン、排気ダクト、ガスケット、点火器、点火器アセンブリ、主ｐｃｂ、電池、センサｐｃｂ、および様々な電動構成要素を接続する電気リード線と間の形状、位置、および関係を示す。
【図３Ｅ】センサｐｃｂに隣接して配置された本開示で有用な考えられる香りリングの簡略図である。
【図４】本明細書に開示される様々な特徴のいくつかで具体化する、動作中のスマートキャンドルプラットフォームの第１の図である。
【図５】本明細書に開示される様々な特徴のいくつかで具体化する、動作中のスマートキャンドルプラットフォームの別の図である。
【図６】本明細書に開示される様々な特徴の少なくともいくつかを具体化する、動作中のスマートキャンドルプラットフォームおよびシステムの別の実施形態の斜視図である。
【図６Ａ】本明細書の図６に示され開示されるスマートキャンドルプラットフォームおよびシステムの側面斜視図である。
【図６Ｂ】本明細書に開示されるように内部に配置された保護装置カバーおよび射出成形支持フレームを設けた、外部シェルカバーが除去されたスマートキャンドルプラットフォームおよびシステムの組立図である。
【図６Ｃ】本明細書に開示されるように点火ＰＣＢ、ＩＲ遠隔センサおよびＵＳＢ充電ポートを設けた、保護カバーおよび支持フレームが除去されたスマートキャンドルプラットフォームおよびシステムの詳細図である。
【図６Ｄ】本明細書に開示される装置を保持するためのプッシュ／プッシュカム機構を支持する１対のロッキングタブを有するスマートキャンドルプラットフォームおよびシステムの側面図である。
【図６Ｅ】本明細書に開示される様々な特徴のいくつかで具体化する組立中のスマートキャンドルプラットフォームおよびシステムの断面図である。
【図６Ｆ】スマートキャンドルプラットフォームおよびシステムの一部の別の断面図であり、本明細書に開示される実施形態内に配置された燃料カートリッジを有するスマートキャンドルプラットフォームの上端部を示す。
【図６Ｇ】図６〜図６Ｆに示される様々な電子および動作構成要素を有するスマートキャンドルプラットフォームおよびシステムの分解図である。
【図６Ｈ】本開示を使用可能にするための詳細なコールアウト要素と共に図６〜図６Ｆに開示されるスマートキャンドルプラットフォームおよびシステムの実施形態の別の分解図である。
【図７Ａ】開示される香りツイストアジャストメント（ｓｃｅｎｔ  ｔｗｉｓｔ  ａｄｊｕｓｔｍｅｎｔ）を有する装飾香りパンカバーの上面斜視図である。
【図７Ｂ】図７Ａに開示される香りパンの側面図である。
【図７Ｃ】香りパンカバーが除去されたスマートキャンドルプラットフォームおよびシステムの点火器の上面斜視図であり、点火器は、本明細書に示され開示されるようにカートリッジの上部にかつ香りパンの下に配置される。
【図８】開示される香りパンを有するスマートキャンドルプラットフォームおよびシステムの斜視図である。
【図８Ａ】実施形態の上部に保護カバーを有する装飾香りパンの断面図である。
【図８Ｄ】実施形態の上部に保護カバーを有する装飾香りパンの別の断面図である。
【図８Ｂ】装飾香りパンのスマートキャンドルプラットフォームおよびシステムの正面図である。
【図８Ｃ】スマートキャンドルプラットフォームおよびシステムの香りパンの上面斜視図である。
【図８Ｆ】スマートキャンドルプラットフォームおよびシステムの香りパンの底面斜視図である。
【図８Ｅ】本明細書に開示される香りパンの側面斜視図である。
【図９Ａ】スマートキャンドルプラットフォームおよびシステムの装飾パンカバーの正面図である。
【図９Ｂ】スマートキャンドルプラットフォームおよびシステムの装飾パンカバーの上面斜視図である。
【図９Ｃ】スマートキャンドルプラットフォームの装飾パンカバーの背面図である。
【図９Ｄ】本明細書に開示されるスマートキャンドルプラットフォームおよびシステムの装飾パンカバーの底面斜視図である。
【図１０Ａ】スマートキャンドルプラットフォームおよびシステムの成形香りリングの正面図である。
【図１０Ｂ】スマートキャンドルプラットフォームおよびシステムの成形香りリングの上面斜視図である。
【図１０Ｃ】本明細書に開示されるスマートキャンドルプラットフォームの成形香りリングの側面図である。
【図１０Ｄ】本明細書に開示されるスマートキャンドルプラットフォームの成形香りリングの側面底面斜視図である。
【図１１Ａ】スマートキャンドルプラットフォームおよびシステムの側面斜視図である。
【図１１Ｂ】図１１Ａに開示されるスマートキャンドルプラットフォームおよびシステムの断面図である。
【図１１Ｃ】装飾香りパンのスマートキャンドルプラットフォームおよびシステムの正面図である。
【図１１Ｄ】本明細書に開示されるスマートキャンドルプラットフォームの側面図である。
【図１１Ｅ】スマートキャンドルプラットフォームおよびシステムの香りパンの上面斜視図である。
【図１１Ｆ】本明細書に開示される様々な特徴のいくつかで具体化する動作中のスマートキャンドルプラットフォームおよびシステムの香りパンの底面斜視図である。
【図１２Ａ】スマートキャンドルプラットフォームおよびシステムの点火器カバーの上面斜視図である。
【図１２Ｂ】本明細書に開示される様々な特徴のいくつかで具体化する動作中のスマートキャンドルプラットフォームおよびシステムの点火器カバーの底面斜視図である。
【図１２Ｃ】図１２Ａおよび図１２Ｂに示され開示されるスマートキャンドルプラットフォームおよびシステムの点火器カバーの断面図である。
【図１２Ｄ】スマートキャンドルプラットフォームおよびシステムの点火器カバーの左側面斜視図である。
【図１２Ｅ】本明細書に開示されるスマートキャンドルプラットフォームの点火器カバーの右側面図である。
【図１３Ａ】スマートキャンドルプラットフォームおよびシステムの２プロング点火器の斜視図である。
【図１３Ｂ】スマートキャンドルプラットフォームおよびシステムの２プロング点火器の正面図である。
【図１３Ｃ】本明細書に開示されるスマートキャンドルプラットフォームおよびシステムの２プロング点火器の側面図である。
【図１４Ａ】スマートキャンドルプラットフォームおよびシステムの点火器ベースの上面斜視図である。
【図１４Ｂ】本明細書に開示される様々な特徴のいくつかで具体化する動作中のスマートキャンドルプラットフォームおよびシステムの点火器ベースの底面斜視図である。
【図１４Ｃ】図１４Ａおよび図１４Ｂに示され開示されるスマートキャンドルプラットフォームおよびシステムの点火器ベースの断面図である。
【図１４Ｄ】スマートキャンドルプラットフォームの点火器ベースの左側面斜視図である。
【図１４Ｅ】本明細書に開示されるスマートキャンドルプラットフォームの点火器ベースの右側面図である。
【図１５】図９〜図１４に示され例示される様々な相互作用構成要素を設けたスマートキャンドルプラットフォームおよびシステムの上端部の分解図である。
【図１６】点火器上部フレームが本明細書に開示される補充ロックおよびねじによって実施形態に固定されて設けた、スマートキャンドルプラットフォームおよびシステムの斜視図である。
【図１７】本明細書に開示されるフレームに取り付けられた香りパンを設けたスマートキャンドルプラットフォームおよびシステムの別の実施形態の斜視図である。
【図１８】シェル支持体および外部シェルを示すスマートキャンドルプラットフォームおよびシステムの分解図であり、シェル支持体は外部シェル内に配置される。
【図１９】カートリッジ内に配置される芯を、本明細書に示され開示されるカートリッジの上端から露出部分が延びた状態で設けたスマートキャンドルプラットフォームおよびシステムの斜視図である。
【図２０】図２０Ａおよび図２０Ｂに示されるように２つの異なるタイプのカートリッジを設けたスマートキャンドルプラットフォームおよびシステムの斜視図である。
【図２０Ａ】長時間燃焼補充ボトルの斜視図である。
【図２０Ｂ】本明細書に開示される標準燃焼補充用ボトルの図である。
【図２１】本明細書に示されるスマートキャンドルプラットフォームおよびシステムのばねの斜視図である。
【図２１Ａ】図２１に示されるスマートキャンドルプラットフォームおよびシステムのばねの別の斜視図である。
【図２２】本明細書に示され開示される保持ブラケットを設けたスマートキャンドルプラットフォームおよびシステムの斜視図である。
【図２２Ａ】図２２に示される保持ブラケットを有するスマートキャンドルプラットフォームおよびシステムの断面図である。
【図２３】本明細書に示され開示されるプッシュカムを設けたスマートキャンドルプラットフォームおよびシステムの斜視図である。
【図２４】本明細書に示され開示されるスマートキャンドルプラットフォームおよびシステムの中間フレームベースの上面斜視図である。
【図２４Ａ】図２４に示されるスマートキャンドルプラットフォームおよびシステムの中間フレームベースの底面斜視図である。
【図２５】本明細書に示され開示されるスマートキャンドルプラットフォームおよびシステムの香りリングパンの斜視図である。
【図２６】図２５の香りリングの上部に配置される穴付き香り上部カバーを設けたスマートキャンドルプラットフォームおよびシステムの斜視図である。
【図２７】図２５の香りリングの上部に配置される穴なし香り上部カバーを設けたスマートキャンドルプラットフォームおよびシステムの斜視図である。
【図２８】開示されるように外部シェルに関連するスマートキャンドルプラットフォームの内部と内部シェルとカートリッジとの間の異なる層を示す、スマートキャンドルプラットフォームおよびシステムの分解図である。
【図２９】全体にわたって開示され論じられる、保護カバー、支持フレーム、プッシュ／プッシュカム機構、および点火器アセンブリに関連するスマートキャンドルプラットフォームおよびシステムの別の分解図である。
【図３０】本明細書に示される、外部シェルが除去され、内部カバーに香りパンシステムが取り付けられたスマートキャンドルプラットフォームおよびシステムの斜視図である。
【図３１】本明細書に示され開示されるスマートキャンドルプラットフォームおよびシステムアセンブリの斜視図である。
【発明を実施するための形態】
【００１６】
［詳細な説明］
本スマートキャンドルプラットフォームが開示され説明される前に、スマートキャンドルプラットフォームは、特定の方法、特定の構成要素、または特定の実装に限定されないことを理解されたい。本明細書で用いられる用語は、特定の実施形態のみを説明するためのものであり、限定するためのものではない。
【００１７】
本明細書および添付の特許請求の範囲で使用されるように、単数形の「ａ」、「ａｎ」、および「ｔｈｅ」は、文脈上、そうでないとする明確な指示がない限り、複数形の指示対象を含む。範囲は、本明細書では、「約（ａｂｏｕｔ）」１つの特定の値から、かつ／または「約」別の特定の値までとして表され得る。そのような範囲が表される場合、別の実施形態は、１つの特定の値からかつ／または別の特定の値までを含む。同様に、先行詞「約」を使用することにより、値が近似値として表される場合、特定の値が別の実施形態を形成することが理解されよう。さらに、各範囲のエンドポイントは、他のエンドポイントと関係していても他のエンドポイントとは無関係でも重要であることが理解されよう。
【００１８】
「任意の（ｏｐｔｉｏｎａｌ）」または「任意に（ｏｐｔｉｏｎａｌｌｙ）」は、続いて記述される事象または状況が起こることも起こらないこともあること、および、その記述には、前記事象または状況が起こる場合と起こらない場合とが含まれること、を意味する。
【００１９】
本明細書の記述および特許請求の範囲全体を通して、「備える（ｃｏｍｐｒｉｓｅ）」という単語、および「備える（ｃｏｍｐｒｉｓｉｎｇ）」や「備える（ｃｏｍｐｒｉｓｅｓ）」などの単語の変形は、「〜を含むがこれに限定されるものではない（ｉｎｃｌｕｄｉｎｇ  ｂｕｔ  ｎｏｔ  ｌｉｍｉｔｅｄ  ｔｏ）」を意味し、例えば、他の構成要素、整数またはステップを除外するものではない。「例示的な（ｅｘｅｍｐｌａｒｙ）」は、「〜の例（ａｎ  ｅｘａｍｐｌｅ  ｏｆ）」を意味し、好ましいまたは理想的な実施形態の表示を伝えることを意図するものではない。「〜など（ｓｕｃｈ  ａｓ）」は、限定的意味では使用されず、説明目的で使用される。
【００２０】
図１〜図５に示されるスマートキャンドルプラットフォームおよびシステム１０の実施形態では、要素の説明および名前には、本明細書の要素の表に見られるように番号１〜１００が割り当てられている。開示されるのは、開示されたスマートキャンドルプラットフォーム１０の少なくとも１つの実施形態、および遠隔制御３１を介してスマートキャンドルプラットフォーム１０を操作し得る制御システム３０の一実施形態と共に使用され得る構成要素である。これらおよびその他の構成要素は本明細書に開示され、これらの構成要素の組合せ、サブセット、相互作用、グループなどが開示される場合、これらの様々な個々の集合的な組合せおよび順列のそれぞれの特定の参照は明示的に開示されない場合があるが、スマートキャンドルプラットフォーム１０のすべての潜在的な実施形態について、それぞれが本明細書で具体的に企図され、説明されることが理解されよう。これは、スマートキャンドルプラットフォーム１０の構成要素を含むがこれに限定されない、本出願のすべての態様に適用される。したがって、追加され得る様々な追加構成要素がある場合、これらの追加構成要素のそれぞれが、キャンドルプラットフォーム１０の任意の特定の実施形態または実施形態の組合せで追加され得ることが理解されよう。本スマートキャンドルプラットフォーム１０は、好ましい実施形態およびこの実施形態に含まれる例の以下の詳細な説明、ならびに上記図およびそれらの図の前後の説明を参照することにより、より容易に理解され得る。
【００２１】
一実施形態では、スマートキャンドルプラットフォーム１０の照明システムは、光、装飾、および一般的な楽しみのための低コストの生産および消費者の使用を容易にするのに十分な強度および耐久性の材料で構築され得る。同封の図に示されている例示的な実施形態では、以下に限定されるものではないが、任意の金属、または青銅、鋼およびアルミニウムを含む金属の組合せと、Ｋｅｖｌａｒ（登録商標）、発泡ポリウレタンフォーム、熱可塑性ポリウレタン、エチレン酢酸ビニル、その他のポリマー、その他の熱可塑性プラスチック、カーボンゴム、ブローンゴムポリマー、アクリル、複合材料、天然材料（例えば、ゴム、革など）、エラストマー、これらの組合せ、および／または適切な特性（例えば、圧縮強度、安定性、弾性、密度）を有する任意の他の材料を含むプラスチックまたはカーボンファイバーと、で構成され得ることが企図される。
【００２２】
図１は、開示されるようにスマートキャンドルプラットフォーム１０に実装され得る様々な相互接続システムの説明を容易にするためにコールアウトを有する分解図を示す、スマートキャンドルプラットフォーム１０の１つの例示的な実施形態の正面斜視図を提供し、相互接続システムは、制限または制約なしに、照明システム１と、スマートキャンドルプラットフォーム１０の環境または動作のいずれかからの入力を検出し受信する少なくとも１つの状態センサからなる感知システム１１と、制御システム２０と、通信システム３０と、を含む。例示的な例は、高温計またはサーモパイルアレイによる火炎感知を含むことができ、火炎の近接は、赤外線（ＩＲ）送信／受信機タイプのアレイを含むセンサによって感知することができる。
【００２３】
開示されるスマートキャンドルプラットフォーム１０の一実施形態では、照明システム１は、典型的な「ダム（ｄｕｍｂ）」キャンドルのように見え、カスタマイズ可能であり、燃料として使用されない固体ワックス、プラスチック、あるいは特定の用途に適した望ましいアクリル材料またはその他の材料で製作され得る外部ファサード（外部２）を含む。外部シェル２は、丸い形状を有して示されているが、外部シェル２内にその軸線（長さ）に沿って開口部２ａを有し、消費者にとって望ましい任意の形状、色、質感、および透明性もしくは不透明性を有してもよく、当業者によって製造され得るものである。外部シェル２は、光の透過または反射を可能にするとともに、キャンドル炎の動作中に予期される熱を処理するのに十分である任意の材料で構成することができ、この材料には、制限および／または制約なしに、鋼、炭素、ガラス、セラミック、プラスチック、固体ワックス、アクリル、および／またはこれらの組合せが含まれる。例えば、制限または制約なしに、出願人は、当業者によく知られているように、ピラーワックスタイプのキャンドルを厳密にまねるためにワックスタイプの材料から外部シェル２を製造することを市場が望んでいると考える。外部シェル２は、ベース４に載りかつベース４に装着可能な中間フレーム３に取り付けられる。中間フレーム３およびベース４は、外部シェル２と、外部シェル２内に、または外部シェル２および中間フレーム３にすぐ近くに配置されるように出願人によって企図される様々なセンサおよびシステムと、を支持するのに十分な強度の任意の材料で構築されてもよく、この材料には、外部シェル２内の中間フレーム３を装着するために、制限および／または制約なしに、鋼、アルミニウム、炭素繊維、プラスチック、および／またはこれらの組合せを含む様々な金属が含まれる。
【００２４】
図１に示されるように、スマートキャンドルプラットフォーム１０の実際の燃料は、外部シェル２内のベース４上に配置され、中間フレーム３に装着された燃料カートリッジ６を介して供給される。光および炎は、当業者によく知られている典型的な「ダム」固体ワックスキャンドルと同様に、外部シェル２の開口部２ａ内に配置される。図１に示されるように、燃料は通常、照明システム１の炎（図示せず）が一般にスマートキャンドルプラットフォーム１０の外部ファサード（外部シェル２）の上部に配置されるように下部から供給されるので、自然な炎のキャンドルを体験するための均一な外観および触感を作り出す。当業者なら、本明細書に開示されるスマートキャンドルプラットフォーム１０が、一実施形態において、このプラットフォーム１０の燃料として芯および固体ワックスを使用し得ることを理解するであろう。大豆からのワックス、蜜ろう、パラフィン、大豆、ヤシ、精油および／またはそれらの組合せ。
【００２５】
当業者なら、本開示が、タンクおよびガス容器（図示せず）を含む、使用され得る他のタイプの燃料カートリッジ６を含み得ることも理解するであろう。開示される燃料カートリッジ６は、芯および固体ワックスに限定されるものではなく、心地よい炎および／または臭気を生成するために燃焼され得る他の燃料があり、この燃料は、制約なしに、プロパン、ブタン、液体ワックス、固体ワックスペレット、および／または天然油および人工油を含めて代用され得る。スマートキャンドルプラットフォーム１０は、このプラットフォーム１０の燃料源として天然ワックスキャンドルを使用して、あるいは大豆からのワックス、蜜ろう、パラフィン、大豆、ヤシ、精油、および／またはそれらの組合せを含む、望ましいかつ光を生成することができる任意の他の燃料源を使用してキャンドルライトを生成するように構成され得る。スマートキャンドルプラットフォーム１０は、本明細書に示される燃料カートリッジ６を使用してキャンドルライトを生成するように構成され得る。燃料として利用可能な液体燃料（油）には、パラフィン、大豆、野菜、脂肪酸、精油、および／またはそれらの組合せが含まれ得る。さらに、当業者なら、選ばれた燃料は、制限または制約なしに、無臭でもよく、または体験を向上させるために芳香剤が添加されてもよいことを理解するであろう。図示されていないが、芳香剤は、制限または制約なしに、燃焼される燃料に直接添加することにより、または独自の制御部を有する別個のタンクまたは容器タイプのシステムを介して、開示されるスマートキャンドルプラットフォーム１０に添加され得ることが考えられる。図示されていないが、芳香剤は、電気抵抗器対燃焼のシステムを通る香／芳香油／材料を「加熱」または「再加熱」するだけの電気システムを介して、開示されるスマートキャンドルプラットフォームに添加され得ることも考えられる。出願人は、キャンドルおよび照明システムに関連する燃料制御システムおよび自動供給システムに関する以下の米国特許、すなわち、米国特許第第４，１８６，４３０号明細書、米国特許第６，０３０，０９３号明細書、米国特許第５，７２２，７６３号明細書、米国特許第５，６８８，０４０号明細書、米国特許第５，４２４，９２８号明細書、米国特許第４，５６６，０５５号明細書、米国特許第４，２６０，３６５号明細書、米国特許第４，１８６，４３０号明細書、米国特許第３，８６７，６２５号明細書、米国特許第３，０９１，１０６号明細書、および米国特許第３４３，４６１号明細書を参照により本明細書を組み込むものとする。出願人は、本開示の特許性に関連する特定の参照または参照の組合せの教示範囲または関連性に関して、許可なく本開示のさらなる使用可能性および説明のために先の米国特許を組み込むものとする。
【００２６】
スマートキャンドルプラットフォーム１０のこの特定の実施形態では、基本制御システム２０は「ハード」オン／オフスイッチ９を含み、オン／オフスイッチ９は、最小限の審美的気晴らしで便利にアクセスできるように、ベース４または外部シェル２の内部または外部上に配置することができる。（図示せず）本明細書でさらに論じられるように、近接センサ（磁場タイプ１５および／または視覚タイプ１６のいずれか）は、スマートキャンドルプラットフォーム１０に関連して、外部環境からの物理的障害物または障壁があるか否かを検出するために、開口部２ａの近くにかつ外部シェル２上または外部シェル２内に配置され得る。図示のように、スマートキャンドルプラットフォーム１０は、中間フレームに取り付けられ得る、またはベース４内もしくはシェル２の内部に配置され得る電池２６によって内部に電力供給され得る。図示されていないが、当業者なら、スマートキャンドルプラットフォーム１０が外部から電力供給され得ることを理解するであろう。別の実施形態では、熱電充電システム２７が、燃焼燃料によって生成される熱を使用して他の電源の使用または補完のための電流を生成するために、ペルチエ原理に基づいて単独でまたは電池２６と組み合わせて設置され得る。他の実施形態では、電力は、共通の電気コンセントまたは太陽光発電システム（図示せず）を含む外部電源から供給することができ、これらはすべて当業者によく知られている。
【００２７】
開示されるスマートキャンドルプラットフォーム１０は点火制御システム２１を有し、点火制御システム２１は、当業者によく知られている点火器７を用いてアークを生成することにより、燃料カートリッジ６から供給される燃料に点火する。開示されるスマートキャンドルプラットフォーム１０の一実施形態では、ベース４内の燃料カートリッジの位置を監視して燃料（芯）に点火する前に適切な係合／接触を確実にするために、連続性センサ１２が点火器７の近くに配置され制御システム２０と通信することができる（図示せず）（この実施形態の追加の実施可能な説明については、図２Ｅ〜図３Ｂおよびその中の補足説明を参照されたい）。
【００２８】
開示され企図されるように、一実施形態では、スマートキャンドルプラットフォーム１０の制御システム２０はまた、燃料レベルセンサ１７に接続された燃料制御システム２５を含んでいてもよく、燃料レベルセンサ１７は、本明細書でさらに説明される通信方法のいずれか１つに従って、より多くの燃料が必要であることをユーザに警告するために使用され得る。他の実施形態では、選択された特定の燃料および構成を受けて、燃料レベルセンサ１７は、燃料貯蔵システム２９（図示せず）から燃料カートリッジ６内により多くの燃料を導入することを可能にする自動燃料供給システム２８（図示せず）に接続され得る。一実施形態では、燃料レベルは、光学カメラシステムを用いて感知することができる。別の実施形態では、燃料レベルセンサ１７は、選ばれた特定の燃料および構成を受けて、燃料制御システム２５に、システムの芯および／またはワックスを自動供給するよう信号を送ることができる（この実施形態の追加の実施可能な説明については、図２Ｅ〜図３Ｂおよびその中の補足説明も参照されたい）。
【００２９】
開示および企図されるように、一実施形態では、スマートキャンドルプラットフォーム１０の制御システム２０はまた消火サブシステム２２を含んでいてもよく、消火サブシステム２２は、スマートキャンドルプラットフォーム１０が制御システム２０を介してオフにされたときに、または、センサシステム１１の設置されたセンサの１つが、例えば制限なしに下記を含む危険な状態を検出したときに、炎を「吹き飛ばす」電動ファン８（電源に電気的に接続されている、図示せず）から構成されてもよく、危険な状態の一例では、単独でまたは組み合わせて作動する加速度計１３および／またはジャイロスコープ１４が、スマートキャンドルプラットフォーム１０が火災の危険を引き起こす位置（転倒する／転倒させられる）を変えていることを検出して、制御システム２０にファン８を作動させる信号を送り、それによって炎（燃焼燃料）「吹き飛ばし」、スマートキャンドルプラットフォーム１０の操作に「安全な」状態を再確立する（この実施形態の追加の実施可能な説明については、図２Ｅ〜図３Ｂおよびその中の補足説明を参照されたい）。
【００３０】
さらに、図示されていないが、他のタイプの消火システム２２が企図され、制約または制限なしに、燃える炎を消すのに有用な空気の噴射を生成し分散させることになる空気圧ピストンとブラダの組合せを含むであろう。さらに、バタフライ弁などの機械式チョークが、炎の近くに配置され得るとともに、同様の目的で、燃える炎への空気を制限または制約することにより炎を消すために係合され得る。
【００３１】
スマートキャンドルプラットフォーム１０の少なくとも１つの実施形態では、センサ（センサシステム１１の連続性センサ１２、加速度計１３、ジャイロスコープ１４、近接センサ（磁場）１５、近接センサ（視覚）１６、燃料レベルセンサ１７、火炎センサ１８）のいずれかが、単独でまたは組み合わせて、スマートキャンドルプラットフォーム１０の企図された制御動作に違反する「危険な」状態または複数の状態を検出すると、制御システム２０は、消火システム２２を用いて（図２〜図３で論じられる排気ダクト３３およびファン８を用いて）かつ／または点火システム２１を用いて、炎から燃料を除去しかつ／または点火器７を使用不能にしてスマートキャンドルプラットフォーム１０の動作を無効にすることにより、炎の消火を開始し得る（この実施形態の追加の実施可能な説明については、図２Ｅ〜図３およびその中の補足説明を参照されたい）。
【００３２】
開示され企図されるように、別の実施形態では、スマートキャンドルプラットフォーム１０は、少なくとも１つの制御システム２０を有するはずであり、制御システム２０は、スマートキャンドルプラットフォーム１０の見通し線内で作動する赤外線（ＩＲ）遠隔制御装置タイプ２３とすることができる。開示されるように、遠隔制御装置２３は、スマートキャンドルプラットフォーム１０上に取り付けられたオン／オフスイッチ９（図示せず）を制御するはずであり、それにより、スマートキャンドルプラットフォーム１０内に展開された点火制御システム２１の点火器７および消火システム２２のファン８も制御（トリガ）し得る。開示され企図されるように、別の実施形態では、スマートキャンドルプラットフォーム１０は、少なくとも１つの制御システム２０を有するはずであり、制御システム２０は、スマートキャンドルプラットフォーム１０の点火システム２１および消火制御システム２２と共に機能し得るタイマシステム２４とすることができる。開示されるように、タイマ２４はまた、スマートキャンドルプラットフォーム１０上に取り付けられたオン／オフスイッチ９（図示せず）も制御するはずであり、それにより、予めプログラムされた期間（１時間、２時間および／または４時間）またはユーザによって選択されるべき可変期間（５９分）のいずれかで、スマートキャンドルプラットフォーム１０内に展開された点火制御システム２１の点火器７および消火システム２２のファン８も制御（トリガ）し得る。選択した期間が経過すると、スマートキャンドルプラットフォーム１０は自動的にシャットダウンすることになる。
【００３３】
本明細書で開示され特許請求されるスマートキャンドルプラットフォーム１０は、その中にインストールされた特定の交信を受けて、適切な送信機および受信機を含む通信システム３０を伴って構成され得る。通信システム３０は、ＷｉＦｉ、Ｂｌｕｅｔｏｏｔｈ、セルラーおよび／またはオーディオタイプのシステム、およびそれらの組合せとの交信を介して、個々のスマートキャンドルプラットフォーム１０とその中にインストールされたソフトウェアアプリケーションを有するスマートフォン（図示せず）との間の通信および制御を可能にし得る。通信システム３０はまた、通信システム３０内に設置され得る様々なタイプの通信システムを介して、マルチ装置およびゾーンタイプの制御を可能にするスマートキャンドルプラットフォーム１０のグループ相互間の通信を可能にするように構成され得る。
【００３４】
以下の修正形態は、図示されていないが、本開示に鑑みて当業者には明らかであろう。スマートキャンドルプラットフォーム１０の様々な要素は、別々に形成され、後で（例えば、機械的締結具、材料溶融、化学接着剤などを用いて）互いに係合されてもよく、または一体的に形成されてもよい。スマートキャンドルプラットフォーム１０およびスマートキャンドルプラットフォーム１０の様々な要素を構築するために使用される材料は、スマートキャンドルプラットフォーム１０の特定の用途に応じて異なるが、鋼、アルミニウム、ポリマー、他の合成材料、天然材料、および／またはそれらの組合せはいくつかの用途に特に有用であることが企図される。したがって、上記の要素は、当業者に知られている、または後に開発される任意の材料で構成されてもよく、その材料は、本明細書に開示され特許請求されるスマートキャンドルプラットフォーム１０の精神および範囲から逸脱することなく、スマートキャンドルプラットフォーム１０の特定の用途に適している。
【００３５】
全体にわたって開示され示されるスマートキャンドルプラットフォーム１０の別の実施形態では、図２〜図３は、典型的な「ダム」キャンドルのように見え、カスタマイズ可能である外部ファサード（外部シェル２）を含む。外部シェル２は、丸い形状を有して示されているが、外部シェル２内に開口部２ａを有し、消費者にとって望ましい任意の形状、色、質感、および透明性もしくは不透明性を有してもよく、当業者によって製造され得るものであり、キャンドルの炎の動作中に予期される熱を処理するのに十分である、開示されるまたは使用中の１つまたは複数のセンサを使用可能にするために、電磁スペクトルの全部もしくは一部または選択された部分の透過または反射を可能にするものであり、制限および／または制約なしに、鋼、炭素、ガラス、セラミック、プラスチック、および／またはそれらの組合せが含まれる。外部シェル２は、使用者に心地よい任意の材料で構成することもでき、ピラーキャンドルを模倣するようにプラスチックまたはワックスで構成されてもよい。外部シェルは除去可能および／または置換え可能に構築することができ、したがって、ユーザは、外部シェルを自分の装飾によりマッチするように、または休日に応じて（例として制限なく、クリスマスの場合は赤または緑、ハロウィーンまたは感謝祭の場合は黒またはオレンジ）切り替えることができる。
【００３６】
図２は、動作中の本明細書に開示されるスマートキャンドルプラットフォーム１０の別の実施形態の外側部分の斜視図である。図示のように、スマートキャンドルプラットフォーム１０は、外部シェル２の上部内に配置された上部カバー３２によって取り囲まれた点火器リング３６からの放電で位置付けられる燃える炎１００を有する。スマートキャンドルプラットフォーム１０のこの特定の実施形態では、芯４１ａを有するワックスからなるキャンドル４１は燃料であり、図１に関して以前に帰され論じられたすべての属性を有し得る。当業者なら、香り付け操作がキャンドル４１の香りを介してスマートキャンドルプラットフォーム１０に追加され得ることを理解するであろう。
【００３７】
（下記参照）図２Ａは、さらなる構造および製造の詳細を提供する図２のスマートキャンドルプラットフォームの分解図である。図２に示されるように、スマートキャンドルプラットフォーム１０は、その中に開口部２ａを有する外部シェル２と共に製作され得る。同じく主開口３１ａを有する内部カバー３１が示されており、上部カバー３２が内部カバー３１の上部に配置された外部シェル２内に配置されかつ外部シェル２によって囲まれる。図示のように、外部シェル２は、上端と下端を連通する中空内部を有し、上端の内側の周りにリム２ｂが配置されて、一緒に第１の開口部２ａを形成する。上端と下端を連通する中空内部を有する内部カバー３１が、棚３１ｃによって形成された上端の略平坦なプラトー３１ｄと共に示されている。プラトー３１ｄには主開口３１ａが形成されている。内部カバー３１は、外部シェル２ａの第１の開口部内に配置される。当業者なら、外部シェル２および内部スリーブ３１の他の実施形態が、特定の構成または用途に求められるように、制約または制限なしに、リム２ｂ、プラトー３１ｄおよび棚３１ｃなしで構築され得ることを理解するであろう。当業者なら、主開口３１ｂの近くにかつその周りに固定アセンブリ用の様々なより小さな開口３１ｂが配置され、開口３１ｂは、組み立てられると、やはり外部シェル２の開口部２ａに近接しかつその周りに配置されることに気付くであろう。上部カバー３２は非導電性であり、内部カバー３１と外部シェル２との間の絶縁体として機能する。上部カバー開口３２ａ、第１の開口部２ａ、および主開口３１ａは整列する。さらに、上部カバー３２は、審美的に心地よいものであり得るとともに、動作中に光を反射し芯４１ａおよび炎１００を支持し得る。当業者なら、上部カバー３２はガラスで構成されるものとして開示され説明されるが、スマートキャンドルプラットフォーム１０の特定の用途に適した任意の材料が選ばれてもよく、この材料には、特定の用途で求められるように反射性または光学的に透明であり得る、ワックス、プラスチック、セラミック、ならびに鋼、アルミニウム、青銅、およびこれらの様々な組合せを含む様々な金属が含まれることを理解するであろう。さらに、上部カバー３２は、燃える炎にそれが近接することにより求められる耐熱性を有する、やはりワックスでよい外部シェル２と同様の外面を有するように構成され得る。
【００３８】
スマートキャンドルプラットフォームの分解図の図２Ｂは、キャンドルアセンブリ５として示される燃料（ワックス）および燃料供給システム２８の一実施形態を示す。この実施形態に示されるように、キャンドルアセンブリ５は、内部カバースリーブの開口３１ａ内に配置されるように構成されたフィーダ管４０、芯４１ａを有するワックスキャンドル４１、ばね４３、およびキャンドルプッシャ４２である。本明細書に開示されるスマートキャンドルプラットフォーム１０の一実施形態は、図２Ａ〜図２Ｂに基づいて構成されてもよく、外部シェル２、上部カバー３２、および主開口３１ａをその中に有する内部カバー３１は、その内部に配置されるキャンドルアセンブリ５と共に、ベース４と内部スリーブ３１との間で係合すると、機能する燃える炎のスマートキャンドルプラットフォーム１０の単純な実施形態を形成する。図２Ｂ−１は、ベース４内に配置されたキャンドルアセンブリ５（フィーダ管４０、キャンドル４１、キャンドルプッシャ４２、およびばね４３）を中間フレーム３と共に示すためにベースキャップ４ａが除去されたベース４の底面図である。図示のように、ベース４は、複数のベース足４４を伴って構成され得る。図示のように、ベース４はまた、内部スリーブ３１の周囲に配置された凹所３１ｅとの結合係合のために、または中間フレーム３の下部に配置された凹所との結合係合のために、ベース４の周囲に配置されたベースタブ４ｇを有してもよい。当業者なら、ロック係合のための他の構成が、本開示の精神および意図から逸脱することなく使用され得ることが理解されよう。
【００３９】
さらに、構成されるように、ワックスキャンドル４１は、ワックスキャンドル４１の底部に対して配置されたキャンドルプッシャ４２を用いて自動的または半自動的に前進するように意図されており、図２Ｃにさらに詳細に示されるベース４のベースキャップ４ａの内部に配置されたばね４３と伝達する。図示のように、ベース４およびベースキャップ４ａは、内部スリーブ３１の下端と協働して、スマートキャンドルプラットフォーム１０の運転中にワックスロックとして動作する。図示されていないが、当業者なら、ベース４およびベースキャップ４ａは、内部スリーブ３１の下端と協働して、大豆油などの液体燃料を使用するために構成され得る燃料カートリッジ６用に構成された他の実施形態に燃料リフィルおよび／または燃料カートリッジを収容し得ることを理解するであろう。当業者なら、ばね４３の上端部分が、本開示の精神および意図から逸脱することなく、ばねロック（プッシャ）４２なしにワックスキャンドル４１に対して直接作用することを理解するであろう。図示されていないが、当業者なら、フィーダ管と同様のサイズおよび形状を有するキャニスタがキャニスタの上部に配置された開口から膨らむ芯４１ａを伴って構成され、上部に除去可能な蓋があるものは、液体燃料に有用な燃料カートリッジ６の一実施形態であり得ることを理解するであろう。
【００４０】
図２Ｄは、図２のスマートキャンドルプラットフォーム１０の組立図であり、内部カバーの下部をベース４、ベース足４４、およびベースキャップ４ａに摺動可能に取り付けるためのさらなる構造および組立の詳細を提供する。図２Ｃに示されるように、ベース４は、図２Ｄに示される内部スリーブ３１の下端とのスロット接触および係合のために、環状ベース突条４ｂ、ベース棚４ｃ、およびベース空隙４ｅを伴って構成される。ベースタブ４ｇを含めることにより、固定した一方向の係合および組立が可能になる。ベース４は、開口であるベース締結具アセンブリ４ｆを介して内部カバー３１に装着されてもよく、開口には、内部スリーブ３１の端部をベース４に固定するために任意の締結具（接着剤、ねじ、ボルト、拡張ペグ、および／またはそれらの組合せ）（図示せず）が配置され得る。図２Ｄ−１は、ベースパッド４ｈをよりよく示すためにベースキャップ４ａならびに複数のベース足４４が除去されたベース４および内部カバー３１の組立底面図である。図２Ｅは、様々な電子および動作構成要素がその中に取り付けられた中間フレーム構造３を囲む内部カバー３１で構成された、図１、図２、または図３のいずれかで具体化される、本明細書に開示されるスマートキャンドルプラットフォーム１０の組立図である。図示のように、中間フレーム３は、略丸い形状を有する内部スリーブ３１と係合しかつ内部スリーブ３１によって取り囲まれるように構成される。図示のように、中間フレーム３は、形状が略円形である上部環状棚３ａならびに下部環状棚３ｂを含む。当業者なら、本開示（図１〜図３）は１つの特定の形状に限定されるものではなく、外部シェル２、開口部２ａ、内部スリーブ３１、および中間フレーム３を組み合わせたものが、前述の要素の間のこうした同心の相互接続設計を用いて所望される任意の形状に構成され得ることを理解するであろう。図２Ｅに示されるように、上部環状棚３ａおよび下部環状棚３ｂにより中間フレーム軸方向区画３ｃの形成が可能になり、中間フレーム軸方向区画３ｃ内には主ｐｃｂ（プリント回路基板）３８が取り付けられて、本明細書でさらに論じられる制御システム２０が可能になり得る。本明細書に開示されるように、主ｐｃｂ３８は、主ｐｃｂ３８内に設置されたアナログシステムかデジタルシステムのどちらかを介して、以下のシステム、システム制御装置、または接続部を有してもよく、このシステムには、センサシステム１１、連続性センサ１２、加速度計１３、ジャイロスコープ１４、近接センサ（磁場による）１５、近接センサ（視覚による）１６、燃料レベルセンサ１７、火炎センサ１８、制御システム２０、点火制御システム２１、消火システム２２、赤外線（ＩＲ）遠隔制御装置２３、タイマ２４、燃料制御システム２５、電源（電池）２６、熱電充電（ペルチエ）２７、燃料供給システム２８（制御装置を含む）、通信システム３０（Ｗｉ−Ｆｉまたはブルートゥース（登録商標）の送信機（複数可）および受信機（複数可）どちらかまたは両方を含む）、およびそれらの組合せが含まれていて、ひとまとめにして、１つのスマートキャンドルプラットフォーム１０、または複数のスマートキャンドルプラットフォーム１０からなるメッシュネットワークを含む複数のスマートキャンドルプラットフォーム１０の動作を個別に動かすか、または一緒に支援する。図示のように、上部環状棚３ａおよび下部環状棚３ｂによって作られた凹所は、例えば、ファン８（図２Ｅに示される）、電池２６、点火制御システム２１、点火制御システム（電気リード線）２１ａおよび点火器トラフ３４を含む、コンパクトな安全で審美的心地よい使用可能なスマートキャンドルプラットフォーム１０を可能にするために、全体を通して開示された様々な構成要素およびシステムを配置するのに十分な空間を提供する。図２Ａ〜図３Ｄの全体にわたって示されるように、電力を必要とする様々なシステム相互間の電気接続部は、点火器トラフ３４および／または中間フレーム軸方向区画３ｃか中間フレーム３内に配置された他の凹所またはそれらの組合せのいずれかに隣接してかつその中に配置され得る。当業者なら、電子構成要素へのユーザアクセスが規制機関によって求められるようにかつ／または推奨される消費者製品安全慣行として制限されることを確実にするために、ベース４内に配置されるタブ７２を有するアクセス制限パネルまたはカバー７０（図示せず）が必要とされ得ることを理解するであろう（図２Ｂ−１および図２Ｄ参照）。
【００４１】
図２Ｆは、図２のスマートキャンドルプラットフォームの組立上面図であり、内部カバー３１が中間フレーム３を囲み、内部カバー３１内で様々な電子および動作構成要素が中間フレーム３に取り付けられ、上部カバー３２が内部カバー３１内に配置された構造および組立の詳細を提供する。
【００４２】
図３Ａは、動作中の本明細書に開示されるスマートキャンドルプラットフォーム１０の別の斜視図を提供するが、ベース４に載っている中間フレーム３と共にセンサｐｃｂ３９を含む、スマートキャンドルプラットフォーム１０の内部作動構成要素をよりよく開示するために、外部シェル２、上部カバー３２、および内部カバー３１が除去されている。図２Ｅ、図３Ａ、図３Ｂおよび図３Ｄに示されるように、点火器リング３６が、内部スリーブ３１から延出する中間フレーム３の上部に配置される。同じく図２Ｅ、図３Ａ、図３Ｂおよび図３Ｄに示されるように、センサｐｃｂ３９が、内部スリーブ３１のすぐ下にある中間フレーム３の上部に配置される。本明細書に開示されるように、センサｐｃｂ３８は、センサｐｃｂ３８内に設置された以下のシステム、システム制御装置、またはセンサｐｃｂ３８への接続部を有してもよく、このシステムには、センサシステム１１、連続性センサ１２、加速度計１３、ジャイロスコープ１４、近接センサ（磁場）１５、近接センサ（視覚）１６、燃料レベルセンサ１７、火炎センサ１８、制御システム２０、点火制御システム２１、消火システム２２、赤外線（ＩＲ）遠隔制御装置２３、タイマ２４、燃料制御システム２５、電源（電池）２６、熱電充電（ペルチエ）２７、燃料供給システム２８（制御装置）、通信システム３０（Ｗｉ−Ｆｉまたはブルートゥースの送信機（複数可）および受信機（複数可）のどちらかまたは両方を含む）、およびそれらの組合せが含まれていて、ひとまとめにして、スマートキャンドルプラットフォーム１０の動作を個別に動かすか、または一緒に支援する。当業者なら、複数対の受信機および送信機が一緒に作動することにより、複数のスマートキャンドルプラットフォーム１０からなるメッシュネットワークの形成が可能となり得ることを理解するであろう。
【００４３】
図３Ｂは、ベース４に載っている中間フレームの上部環状スリーブ３ａと下部環状スリーブ３ｂとの間に配置され、ベース突条４ｂおよびベース棚４ｃに近接するベース締結具アセンブリ４ｆと係合するように配置された、中間フレーム軸方向区画３ｃ内に取り付けられた主ｐｃｂ３８を有する、中間フレーム下部タブ３ｄ、中間フレーム排気通路３ｅ、および中間フレーム開口３ｆを含む中間フレーム３の反対側の斜視図である。図示のように、ファン８は、上部中間フレーム棚３ａのすぐ下に配置された凹所に配置される。さらに、排気ダクト３３が、点火器リングアセンブリ３５および点火器リング３６と流体流通する中間フレーム３の上面上の中間フレーム排気通路３ｅに配置される。
【００４４】
図３Ｂ−１は、図３Ｂの詳細図であるが、中間フレーム軸方向フレーム区画内の中間フレーム３に取り付けられたｐｃｂ３８と、中間フレーム３の下部とベース４との間の連続性センサ１２の位置と、をよりよく示すために、ベース４が除去されている。
【００４５】
図３Ｃは、中間フレーム３の反対側を示すように中間フレー３の様々な構成要素を最もよく示すためにファン８のみが取り付けられた中間フレーム３の斜視図である。図３Ｃ−１は、ファン８および排気ダクト３３のみが中間フレーム３内に取り付けられた中間フレーム３の上部の斜視図である。中間フレームの上部は、排気ダクト３３と係合するために、中間フレーム開口３ｆおよび中間フレーム排気通路３ｅに近接するワックスオーバーフロー回収トラフを伴って構成される。開示されるように、排気ダクト３３に接続されたファン８は、消火システム２２の一部として使用され得る、すなわち、消火システム２２に接続されたセンサシステム１１からのセンサ１１ａが、危険な状況が存在するという信号を提供すると、ファン８は、炎１００に突風を送って炎１００を消すために運転され得る。他の実施形態では、ファン８は、運転中に炎１００から過剰な煙を除去するかまたは引き抜くように動作することができ、かつ／または消火モードで、炎１００の周りの空気を迅速に除去するように動作して、消火および危険な動作の回避を可能にすることができる。
【００４６】
図３Ｄは、スマートキャンドルプラットフォーム１０の分解図であり、特に、中間フレーム３に関連するスマートキャンドルプラットフォーム１０の内部とファン８と排気ダクト３と点火器２１ｂと点火器リング３６およびベース４の下に配置された点火器アセンブリ３５と主ｐｃｂ３８と電池２６とセンサｐｃｂ３９とスマートキャンドルプラットフォーム１０の様々な電動構成要素を接続する電気リード線（点火制御システム２１ａおよび電池リード線）との間の形状、位置、および関係に関連するスマートキャンドルプラットフォーム１０の一実施形態の追加の説明図を提供する。本明細書に開示されるように、センサｐｃｂ３９は、センサｐｃｂ３９の周囲に配列および配置された赤外線（ＩＲ）センサ４５およびサーモパイル４６を有して示されている。出願人は、少なくとも１つ、好ましくは複数のＩＲセンサ４５およびサーモパイルが一緒に作動することにより、キャンドル４１の芯４１ａ、特に火炎１００の監視および制御が改善されることを見出した。全体にわたって示されるようにクローバリーフ形状を有する点火器リング３６は、芯４１ａおよび火炎１００を取り囲むものであり、複数の点火器２１ｂが芯４１ａおよび火炎１００の制御を改善して、芯および火炎が移動するという問題を解決することを可能にする一構成であることが見出された。
【００４７】
図３Ｅは、センサｐｃｂ３９および点火器リング３６に隣接して配置された本開示で有用な香りリング４７の一実施形態を示す。当業者なら、香りリング４７は、本明細書に開示されるスマートキャンドルプラットフォーム１の特定の構成で機能する任意の形状を有し得ることを理解するであろう。さらに、香りリング４７は、図示のようにセンサｐｃｂ３９および点火器リング３６と共に使用されてもよく、あるいは中間フレーム３または点火器リング３６なしで使用するために構成されたスマートキャンドルプラットフォーム１０に使用されてもよく、香りリング４７は、香りリング４７を暖めて香りリング４７内の香りを活性化し分散させるのに有用であり得る熱を与えるために、燃える炎１００の近くに配置される。香りリング４７は、特定の用途または構成に求められるように、制限または制約なしに、図示のようにセンサｐｃｂ３９の内部またはセンサｐｃｂ３９の外部に配置され得る。
【００４８】
図６〜図２９の全体にわたって開示され示されるスマートキャンドルプラットフォームおよびシステム１０の別の実施形態では、図６は、本明細書に開示される様々な特徴の少なくともいくつかを具体化する、動作中のスマートキャンドルプラットフォームおよびシステム１０の斜視図である。図６Ａは、本明細書の図６に示され開示されるスマートキャンドルプラットフォームおよびシステム１０の側面斜視図である。図６〜図２９に示されるスマートキャンドルプラットフォームおよびシステム１０の実施形態では、要素の説明および名前には、本明細書の要素の表に見られるように番号１１０〜１７９が割り当てられている。図示のように、スマートキャンドルプラットフォームおよびシステム１０は、上部カバー１１０、外部シェル１５１、内部カバー１５２、燃料源（カートリッジシステム）１３０、およびベース４からなる。上部カバー１１０は開口部１１６を有し、スマートキャンドルプラットフォームおよびシステム１０の上端に配置される。外部シェル１５１は上端および下端を有し、上端および下端は、中空内部と内部カバー１５２を挿入し固定するための開口部とを形成する。内部カバー１５２は、支持フレーム１５２ａ、保護カバー１５２ｂ、およびシェル支持体１５２ｃからなる。シェル支持体１５２ｃは、下部開口部に連通して中空内部を形成する上部開口部を有する。シェル支持体１５２ｃは、保護カバー１５２ｂと外部シェル１５１との間に配置される。保護カバー１５２ｂは、下部開口部に連通して支持フレーム１５２ａを挿入するための中空内部を形成する上部開口部を有する。保護カバー１５２ｂは、支持フレーム１５２ａと係合しかつ支持フレーム１５２ａを取り囲むように構成され得る。支持フレーム１５２ａは、下部開口部に連通して中空内部を形成する上部開口部を有する。支持フレーム１５２ａは、燃料源１３０を挿入するためのハウジングを形成しており、燃料源１３０は、除去可能でありかつまたは再利用可能なカートリッジとして開示されるが、当業者なら理解するように、追加の制限または制約なしに、補充可能でありかつ除去不可である固定リザーバまたはタンク（図示せず）として構成されてもよい。燃料源１３０は、カートリッジとして構成されてもよく、内部カバー１５２の支持フレーム１５２ａ内に配置されてもよい。ベースは、外部シェル１５１の下端および内部カバー１５２の下端と協働して係合するように構成される。一実施形態では、カートリッジ１３０はベースに載ってもよい。ベースは、外部シェル１５１および内部カバー１５２を支持するとともに、カートリッジ１３０を囲むように構成される。
【００４９】
図６Ａに示されるように、外部シェル１５１は、ワックスで構成され得るが、そのように限定されるものではなく、下記の特許請求の範囲に別段の記載がない限り、制限および／または制約なしに、紙（すなわち、ボール紙）、金属（すなわち、鋼またはアルミニウム）ならびにプラスチック、およびそれらの組合せを無制限に含む特定の用途に適した任意の材料から構築され得る。当業者なら、外部シェル１５１は、装飾を提供することおよびスマートキャンドルおよびプラットフォーム１０の魅力を高めることに加えて、高い面から地面に落ちるなどの事故が発生した場合に、スマートキャンドルプラットフォームおよびシステム１０の内部構成要素を保護するとともに、この内部要素への損傷を低減する目的で設計され得る。（図示せず）加えて、外部シェル１５１は、下記の特許請求の範囲に別段の記載がない限り、制限および／または制約なしに、装飾の目的を果たすために異なる画像、色、サイズ、および形状で設計またはカスタマイズされ得る。外部シェル１５１の装飾的実施形態は、スマートキャンドルプラットフォームおよびシステム１０のエンドユーザへの魅力を高めて、スマートキャンドルプラットフォームおよびシステム１０の望ましさをさらに改善することができる。
【００５０】
図６Ｂは、外部シェル１５１カバーが除去されたスマートキャンドルプラットフォームおよびシステム１０の組立図である。図示のように、内部カバー１５２は、シェルカバー１５２ｃ、保護装置カバー１５２ｂ、および図示のように保護装置カバー１５２ｂの内部に配置された射出成形支持フレーム１５２ａからなる。一実施形態では、内部カバー１５２は、上部カバー１１０または内部カバー１５２の上部に下向きの力を加えると、外部シェル１５１から除去され得る。別の実施形態では、内部カバー１５２は、内部カバー１５２の内部に配置されたロッキングタブ７２をロック解除するかまたは押し下げることにより、外部シェル１５１から除去され得る。香りパン１１１が、内部カバー１５２の上部に配置される。香りパン１１１（図８〜図１１も参照されたい）は、下記の特許請求の範囲に別段の記載がない限り、制限および／または制約なしに、スマートキャンドルプラットフォームおよびシステム１０の魅力を高める目的で異なる色、画像、および形状で装飾される。図示のように、射出成形支持フレーム１５２ａは、ベース４に配置され、ベース４およびカートリッジとして構成された燃料源１３０と係合するように構成される。
【００５１】
図６Ｃは、保護カバー１５２ｂおよび支持フレーム１５２ａが除去されたスマートキャンドルプラットフォームおよびシステム１０の詳細図であり、本明細書に開示されるように点火ＰＣＢ１２１、ＩＲ遠隔センサ１４１およびＵＳＢ充電ポート１４６を示している。点火制御システム１７４用の主ＰＣＢ３８は、制約または制限なしに、先端アラート機能とリチウムイオンオンボード電池１４８によって電力供給され得る補充レベル検出システムとを制御するように構成され得る。ＵＳＢ充電ポート１４６は、ＵＳＢ充電（コンピュータまたは充電器）または電池１４８のいずれかを用いてスマートキャンドルプラットフォームおよびシステム１０に電力を供給するように構成される。加えて、制御システム１４０には、制限および／または制約なしに、特定の用途を受けて、オン／オフスイッチ１７３、点火制御システム１７４、消火システム１７５、赤外線（ＩＲ）遠隔制御システム１７１、タイマ１７８、パスワード１７９、燃料制御システム１７２、燃料貯蔵システム１７６、燃料システム１７７、および\\\および／または上記の組合せとして含まれ得る。
【００５２】
開示される別の特徴が、プッシュ／プッシュカム機構１６０である。図６Ｄに示されるように、図６Ｄは、スマートキャンドルプラットフォームおよびシステム１０が除去可能な外部シェル１５１で構成される場合、本明細書に開示される外部シェル１５１の本実施形態を内部カバー１５２で保持するためのプッシュ／プッシュカム機構１６０を支持する１対のロッキングタブ７２を有するスマートキャンドルプラットフォームおよびシステム１０の実施形態の側面図である。ロッキングタブ７２は、内部カバー１５２からの外部シェル１５１の係合解除を可能にするために、内部カバー１５２の内部に配置され、外部シェル１５１の内部まで延びる。ロッキングタブ７２は、使用中に外部シェル１５１を内部カバー１５２で保持するためのプッシュ／プッシュカム機構１６０によって作動される。ユーザが上部カバー１１０を下向きに押し下げると、内部カバー１５２は、ロッキングタブ７２との係合を解除し、内部カバー１５２から外部シェル１５１を解放する。外部シェル１５１および内部カバー１５２を組み立てるために、ユーザは、内部カバー１５２を外部シェル１５１の中空内部にスライド可能に挿入することができる。ロッキングタブ７２は、内部カバー１５２の上部に下向きの力を加えると、外部シェル１５１を内部カバー１５２に係合させるように延長され得る。
【００５３】
また、自己消火ファン１４３および統合オンボード電子機器アセンブリで構成された実施形態の他の特徴も示されている。図６Ｄに示されるように、自己消火ファン１４３は、自動オフ機能および安全チップセンサ１４２のための支持フレーム１５２ａの上部に配置される。統合オンボード電子機器アセンブリはまた、押しボタン点火、押しボタンもしくは自動消火オプション１４９、自動先端検出１４５、タイマ１７８および／またはパスワード１７９オプション、ならびにそれらの組合せで構成され得る。押しボタン１５６は、内部カバー１５２の外側に取り付けられ、単純であるが安全なユーザ係合のために構成される。外部シェル１５１から内部カバー１５２を除去した後、ユーザは、押しボタン１５６を押圧して、交換または補充のために内部カバー１５２から燃料源１３０カートリッジを解放することができる。次いで、ユーザは、新しいまたは補充されたカートリッジ１３０を、内部カバー１５２の支持フレーム１５２ａの中空内部に挿入する。
【００５４】
図６Ｅは、示される様々な特徴のいくつかで具体化する組立中のスマートキャンドルプラットフォームおよびシステム１０の断面図であり、スマートキャンドルプラットフォームおよびシステム１０は多くの特徴で設計されている。例えば、プッシュ／プッシュカム機構１６０により、この実施形態に容易にアクセスすることが可能になる。内部点火ワイヤルーティング１２３は、流線型設計向けに構成される。内部支持シェル１５２ｃは、様々な装飾材料用に設計される。一実施形態では、外部シェル１５１は装飾的で交換可能であり得るが、別の実施形態では、外部シェル１５１は装飾的で固定され得る。凹設収納ポケット１５８は、装飾用スリップオンタイプカバーを収納するために構成される。カートリッジ１３０は、クイックリリース保持クリップ１３２を使用して交換可能であり得る。燃料カートリッジ１７７用のセンサは、低燃料レベルが測定されたときに自動再注文通知のためにＰＣＢに信号を送信することができる。
【００５５】
図６Ｆは、スマートキャンドルプラットフォームおよびシステム１０の一部の別の断面図であり、上部カバー１１０および点火システム１２０を伴って構成された、本明細書に開示される実施形態内に配置された燃料カートリッジ１３０を有するスマートキャンドルプラットフォームの上端部を示す。一実施形態では、上部カバー１１０の開口部１１６は、燃料源（カートリッジ）１３０の燃料補給または交換を可能にする方法で構築または設計され得る。特定の用途に応じて、上部カバー１１０は、外部シェル１５１と一緒に構築されてもよく、または別個に構築され、従来通り内部カバー１５２に装着されてもよい。一実施形態では、上部カバー１１０は、上部カバー１１０を時計回りの方向に回転させるかまたはねじることにより、スマートキャンドルプラットフォームおよびシステム１０内に挿入され得る。この構成では、上部カバー１１０は、上部カバー１１０を反時計回りの方向に回転させるかまたはねじることにより、スマートキャンドルプラットフォームおよびシステム１０から除去され得る。加えて、図６Ｆに示されるように、点火システム１２０が、支持フレーム１５２ａの上端にかつ香りパン１１１および上部カバー１１０の下に配置され得る。点火器システム１２０は、支持フレーム１５２ａの近くに配置された電池１４８に電気的に接続され得る。一実施形態では、香りパン１１１の開口部にセラミック点火器プロング１２４が配置される。
【００５６】
図６Ｇは、全体を通して、特に図６〜図６Ｆを通して開示された様々な実施形態に適用するために示されている様々な電子および動作構成要素を有するスマートキャンドルプラットフォームおよびシステム１０の分解図である。図６Ｈは、本開示を使用可能にするための詳細なコールアウト要素と共に図６〜６Ｆに開示されるスマートキャンドルプラットフォームおよびシステム１０の実施形態の別の分解図である。図示のように、上部カバー１１０は、引込み式点火器ワイヤ１２９を備えた点火器１２８アセンブリ、またはオプションの香りパン１１１を備えた標準の点火器１２８アセンブリのいずれかで構成され得る。一体型支持フレーム１５２ａは、消火ファン１４３、クイックリリース補充保持１３６、カートリッジ１３０、および保護カバー１５２ｂと係合するように構成される。カートリッジ１３０は、標準燃焼時間交換可能補充カートリッジとして、または長時間燃焼交換可能補充カートリッジとして構成され得る。（図２０およびその中の補足開示を参照されたい）装飾外部シェル１５１用のシェル支持体１５２ｃは、保護カバー１５２ｂと外部シェル１５１との間に配置される。外部シェル１５１は、装飾的であってもよく、固定されてもよく、または交換可能であってもよく、下記の特許請求の範囲に別段の記載がない限り、制限および／または制約なしに、様々な材料から製作され得る。
【００５７】
図７Ａは、開示される香りツイストアジャストメントを有する装飾香りパンカバー１１４の上面斜視図であり、図７Ｂは、図７Ａに開示される香りパン１１１の側面図である。図示のように、香りパンシステムは、香りレベルねじれ調整を備えた香りパンカバー１１４、香りパン１１１、および香りリング１１３で構成され得る。香りパン１１１は、内部カバー１５２の保護カバー１５２ｂの上部に、上部カバー開口１１７の近くに配置される。特定の目的および／または季節（休日）に応じて、香りパンカバー１１４は、制限および／または制約なしに、異なる画像、色、デザイン、サイズおよび形状でカスタマイズされ装飾であり得る。香りリング１１３は、香りパン１１１内にかつ香りパンカバー１１４の下に配置される。デュアルプロング点火システム１２０は、作動時に火炎を生成するために芯１３４の近くに配置され得る。燃える炎１００の熱は、香りリング１１３の芳香剤または香りの分散を促進する。図示のように、香りリング１１３は、芳香剤または香りの分散を容易にする半閉鎖位置で示されている（図８〜図８Ｆおよび本明細書の補足説明も参照されたい）。
【００５８】
図７Ｃは、香りパンカバー１１４が除去されたスマートキャンドルプラットフォームおよびシステム１０の点火器の上面斜視図であり、点火器１２８は、本明細書に示され開示されるようにカートリッジ１３０の上部にかつ香りパン１１１の下に配置される。点火システム１２０は、点火器１２８、点火器支持フレーム１２２、１つまたは複数の点火器フィンガ１２７、点火器１２８のインデキシングのための枢動カム、および点火器ワイヤ１２９で構成される。点火システム１２０は電子的に制御される。別の実施形態では、点火システム１２０は、支持フレーム１５２ａの近くに配置された電池１４８に電子的に接続される。点火器１２８は、芯１３４の近くに配置され、点火システム１２０に結合される。
【００５９】
図８は、開示される香りパン１１１を有するスマートキャンドルプラットフォームおよびシステム１０の斜視図であり、図８Ａおよび図８Ｄは、点火器フレーム１２２の上部に香りパンカバー１１４を有する装飾香りパン１１１の断面図である。図８Ｂは、装飾香りパン１１１の１０の正面図であり、図８Ｃは、スマートキャンドルプラットフォームおよびシステムの香りパン１１１の上面斜視図である。図８Ｆは、スマートキャンドルプラットフォームおよびシステム１０の香りパン１１１の底面斜視図であり、図８Ｅは、本明細書に開示される香りパン１１１の側面斜視図である。香りパンシステムは、図８〜図１１Ｆに詳細に示されているように、香りパンカバー１１４、香りパン１１１、および香りリング１１３で構成される。
【００６０】
図９Ａは、スマートキャンドルプラットフォームおよびシステム１０の装飾パンカバー１１４の正面図であり、図９Ｃは、スマートキャンドルプラットフォームの装飾パンカバー１１４の背面図である。図９Ｂは、スマートキャンドルプラットフォームおよびシステム１０の装飾パンカバー１１４の上面斜視図であり、図９Ｄは、本明細書に開示されるスマートキャンドルプラットフォームおよびシステム１０の装飾パンカバー１１４の底面斜視図である。図示のように、香りパンカバー１１４は、香りの装飾および分散という目的を果たす複数の開口１１７ａで構成され得る。当業者なら、開示される香りパンカバー１１４の設計および開口１１７ａの配置は、示される特定の設計に限定されるものではなく、放出される有効な香りおよび分散される香りの量を最大にするように構成され得ることを理解するであろう。
【００６１】
図１０Ａは、スマートキャンドルプラットフォームおよびシステム１０の成形香りリング１１３の正面図であり、図１０Ｃは、本明細書に開示されるスマートキャンドルプラットフォームおよびシステム１０の成形香りリング１１３の側面図である。図１０Ｂは、スマートキャンドルプラットフォームおよびシステム１０の成形香りリング１１３の上面斜視図であり、図１０Ｄは、本明細書に開示されるスマートキャンドルプラットフォームの成形香りリング１１３の側面底面斜視図である。各香りリング１１３は、異なる香りまたは芳香剤を有し、必要に応じてカスタマイズされ得る。香りリング１１３は、容易に交換可能かつ置換え可能である。当業者なら、香りリング１１３は高温（火炎温度）で融解しないので、香りリング１１３を複数回再利用できることを理解するであろう。香りリング１１３は、下記の特許請求の範囲に別段の記載がない限り、制限および／または制約なしに、香りパン１１１および香りパンカバー１１４に合うようにサイズ、形状、色および芳香剤をカスタマイズされ得る。図１１Ａは、スマートキャンドルプラットフォームおよびシステム１０の側面斜視図であり、図１１Ｂは、図１１Ａに開示されるスマートキャンドルプラットフォームおよびシステム１０の断面図である。図１１Ｃは、装飾香りパン１１１のスマートキャンドルプラットフォームおよびシステム１０の正面図であり、図１１Ｄは、本明細書に開示されるスマートキャンドルプラットフォームおよびシステム１０の側面図である。図１１Ｅは、スマートキャンドルプラットフォームおよびシステム１０の香りパンの上面斜視図であり、図１１Ｆは、本明細書に開示される様々な特徴のいくつかで具体化する動作中のスマートキャンドルプラットフォームおよびシステム１０の香りパンの底面斜視図である。図示のように、香りパン１１１は、使用中に香りリング１１３を収容する香りリングホルダ１１２として構成される。香りパン１１１は多数の開口１１７ｂを有し、開口１１７ｂは香りリング１１３を収容するために構成される。特定の用途に応じて、香りパン１１１は、制限および／または制約なしに、異なるサイズ、形状、色などでカスタマイズされ得る。
【００６２】
図１２Ａは、スマートキャンドルプラットフォームおよびシステム１０の点火器カバー１２５の上面斜視図であり、図１２Ｂは、本明細書に開示される様々な特徴のいくつかで具体化する動作中のスマートキャンドルプラットフォームおよびシステム１０の点火器カバー１２５の底面斜視図である。図１２Ｃは、図１２Ａおよび図１２Ｂに示され開示されるスマートキャンドルプラットフォームおよびシステム１０の点火器カバーの断面図である。図１２Ｄは、スマートキャンドルプラットフォームおよびシステム１０の点火器カバー１２５の左側面斜視図であり、図１２Ｅは、本明細書に開示されるスマートキャンドルプラットフォームおよびシステム１０の点火器カバー１２５の右側面図である。
【００６３】
図１３Ａは、スマートキャンドルプラットフォームおよびシステム１０の２プロング点火器１２４の斜視図であり、図１３Ｂは、スマートキャンドルプラットフォームおよびシステム１０の２プロング点火器１２４の正面図であり、図１３Ｃは、本明細書に開示されるスマートキャンドルプラットフォームおよびシステム１０の２プロング点火器１２４の側面図である。図示のように、２プロング点火器１２４は、点火器カバー１２５内にかつ芯１３４の近くに配置される。
【００６４】
図１４Ａは、スマートキャンドルプラットフォームおよびシステム１０の点火器ベース１２６の上面斜視図であり、図１４Ｂは、本明細書に開示される様々な特徴のいくつかで具体化する動作中のスマートキャンドルプラットフォームおよびシステム１０の点火器ベース１２６の底面斜視図である。図１４Ｃは、図１４Ａおよび図１４Ｂに示され開示されるスマートキャンドルプラットフォームおよびシステム１０の点火器ベース１２６の断面図である。図１４Ｄは、スマートキャンドルプラットフォームおよびシステム１０の点火器ベース１２６の左側面斜視図であり、図１４Ｅは、本明細書に開示されるスマートキャンドルプラットフォームおよびシステムの点火器ベース１２６の右側面図である。
【００６５】
図１５は、スマートキャンドルプラットフォームおよびシステム１０の上端部の分解図であり、図９〜１４に示され例示される様々な構成要素のアセンブリを示す。図示のように、少なくとも１つの実施形態では、香りパンカバー１１４は香りパン１１１の上部に配置され、香りリング１１３は香りパン１１１内に配置される。図示の香りパン１１１は、点火システム１２０の上部に配置される。点火システム１２０は、点火器カバー１２５、２プロング点火器１２４、点火器ワイヤ１２９、および点火器ベース１２６から構成される。２プロング点火器１２４および点火器ワイヤ１２９は、制約または制限なしに、図示のように点火器カバー１２５と点火器ベース１２６との間に配置され得る。図１６は点火器上部フレーム支持体１２２ａの斜視図であり、点火器上部フレーム支持体１２２ａは、図６〜図１５に開示される実施形態と共に使用され、本明細書に開示される補充ロック１３２およびねじ１６２を介して支持フレーム１５２ａに固定され得る。
【００６６】
図１７は、周囲に開口１１７を有する香りパンカバー１１４の斜視図である。図１７はまた、本明細書に開示されるように、香りパン１１１が支持フレーム１５２ａに取り付けられた状態で、香りパンカバー１１６ａおよび香りパン１１６ｂの中心に配置された開口部１１６の周囲に配置された点火器プロング１２４の位置を示す。
【００６７】
図１８は、シェル支持体１５２ｃおよび外部シェル１５１を示すスマートキャンドルプラットフォームおよびシステム１０の分解図であり、シェル支持体１５２ｃは外部シェル１５１内に配置される。図１９は、燃料源カートリッジ１３０内に配置された芯１３４を、本明細書に示され開示されるカートリッジ１３０の上端から露出部分が延びた状態で設けたスマートキャンドルプラットフォームおよびシステム１０の斜視図である。
【００６８】
開示された実施形態の別の態様では、カートリッジ（補充用ボトル）１３０が図２０Ａおよび図２０Ｂに示されている。図示のように、図２０は、図２０Ａおよび図２０Ｂに示されるように２つの異なるタイプのカートリッジ１３０を設けたスマートキャンドルプラットフォームおよびシステム１０の斜視図である。図２０Ａは、長時間燃焼補充用ボトル１３１ａの斜視図であり、図２０Ｂは、本明細書に開示される標準燃焼補充用ボトル１３１ｂである。カートリッジ１３０は、支持フレーム１５２ａからの除去および置換えを容易にするために、保持溝１３５を伴って構成される。ユーザが内部カバー１５２上の押しボタン１５６を押すと、押しボタン１５６は保持溝１３５に対して延長され、これにより内部カバー１５２内のカートリッジ１３０が解放される。長時間燃焼補充カートリッジ１３１ａと標準燃焼補充カートリッジ１３１ｂは共に、芯１３４および支持キャップ１３４ａとカスタムクイックリリースカートリッジ保持溝１３５とベース１３７とで構成される。しかしながら、長時間燃焼補充カートリッジ１３１ａのベース１３７は、ボトルまたは容器１３１がより多くの燃料（または油）１３３を保持することを可能にする標準燃焼補充カートリッジ１３１ｂのベース１３７より相対的に大きい。特定の用途に応じて、燃料材料１３３は精油でよく、以下に限定されるものではないが、制限および／または制約なしに、固体パラフィンワックス、流動パラフィン、大豆、野菜、脂肪酸、および／またはそれらの組合せでもよい。加えて、芯１３４は、芯１３４の露出部分がカートリッジ１３０の上端から延びた状態でカートリッジ１３０内に配置されてもよく、これにより、炎１００は上部カバー１１０の上にあることが可能になる、カートリッジ１３０は、使用中に燃える炎１００を支持するために燃料１３３を供給することも可能になる。
【００６９】
開示された実施形態の別の態様では、ばね１６４、保持ブラケット１６１、および中間フレーム３ｊが、図２１〜２４に示され開示される。図２１は、本明細書に示されるスマートキャンドルプラットフォームおよびシステム１０のばね１６４の斜視図である。図２１Ａは、図２１に示されるスマートキャンドルプラットフォームおよびシステム１０のばね１６４の別の斜視図である。図示のように、ばね１６４は第１の端部および第２の端部を有し、第１の端部および第２の端部は共にコイル状であり、折り畳み可能である。当業者なら、特定の用途に応じて、下記の特許請求の範囲に別段の記載がない限り、制限および／または制約なしに、ばね１６４の形状および／またはサイズはカスタマイズされ得る、または、スマートキャンドルプラットフォームおよびシステム１０の有効性を最大化するために異なるタイプのばね１６４が使用され置き換えられ得ることを理解するであろう。
【００７０】
図２２は、本明細書に示され開示される保持ブラケット１６１を設けたスマートキャンドルプラットフォームおよびシステム１０の斜視図である。図２２Ａは、図２２に示される保持ブラケット１６１を有するスマートキャンドルプラットフォームおよびシステム１０の断面図である。図２３は、本明細書に示され開示されるプッシュプッシュカム１６３を設けたスマートキャンドルプラットフォームおよびシステム１０の斜視図である。
【００７１】
開示された実施形態の別の態様では、図２４は、本明細書に示され開示されるスマートキャンドルプラットフォームおよびシステム１０の中間フレームベース３ｊの上面斜視図である。図２４Ａは、図２４に示されるスマートキャンドルプラットフォームおよびシステム１０の中間フレームベース３ｊの底面斜視図である。
【００７２】
開示された実施形態の別の態様では、図２５は、本明細書に示され開示されるスマートキャンドルプラットフォームおよびシステム１０の香りパン１１１の斜視図である。図２６は、図２５の香りパン１１１の上部に配置される穴（開口１１７ａ）付き香りパンカバー１１４を設けたスマートキャンドルプラットフォームおよびシステム１０の斜視図である。図２７は、（図２５に示される）香りパン１１１の上部に配置される穴（または開口１１７ａ）なし香りパンカバー１１４を設けたスマートキャンドルプラットフォームおよびシステム１０の斜視図である。図２５〜図２７に示されるように、香りパン１１１および香りパンカバー１１４は開口部１１６を有し、開口部１１６のサイズおよび形状は、スマートキャンドルプラットフォームおよびシステム１０を分解することなくカートリッジ１３０を補充できるくらい大きくなっている。当業者なら、一部のユーザにとって望ましいかもしれない少なくとも１つの実施形態では、香りパン１１１および香りパンカバー１１４の開口部は、スマートキャンドルプラットフォームおよびシステム１０を分解することなく、カートリッジ１３０を補充および交換する方法を提供することを理解するであろう。
【００７３】
加えて、図２６および図２７に示されるように、穴１１５の位置および数はカスタマイズされてもよく、これにより、ユーザはスマートキャンドルプラットフォームおよびシステム１０の炎または熱を制御することが可能になる。加えて、香りパンカバー１１４上の穴１１５の位置および数は、装飾の目的でカスタマイズされてもよく、これにより、制限および／または制約なしに、少なくとも一部のユーザにとって、スマートキャンドルプラットフォームおよびシステム１０の魅力を高めることができる。
【００７４】
図２８は、開示されているように外部シェル１５１に関連するスマートキャンドルプラットフォームおよびシステム１０の内部と内部カバー１５２とカートリッジ１３０との間の異なる層を示す、スマートキャンドルプラットフォームおよびシステム１０の分解図である。図２９は、図２８に示されるように開示される様々な特徴のいくつかで具体化する、スマートキャンドルプラットフォームおよびシステム１０の内部カバー１５２および上部カバー１１０の別の分解図である。
【００７５】
特定の用途に応じて、内部カバー１５２は、制限および／または制約なしに、交換可能になるまたは固定される（外部シェル１５１と一体になる）ように構築され得る。また、特定の材料および／または目的に応じて、シェル支持体１５２ｃ、保護カバー１５２ｂおよび支持フレーム１５２ａは、下記の特許請求の範囲に別段の指示がない限り、制限および／または制約なしに、一緒に構築されるかまたは別々に構築され、従来通り一緒に装着され得る。
【００７６】
別の実施形態では、図３０は、外部シェル１５１が除去され、上部カバー１１０（図２５〜図２７に示される）が本明細書に示されるように内部カバー１５２に取り付けられたスマートキャンドルプラットフォームおよびシステム１０の斜視図である。図３１は、本明細書に示され開示されるスマートキャンドルプラットフォームおよびシステム１０アセンブリの斜視図である。図３０および図３１に示され例示されるように、香りパンカバー１１４は、カートリッジ１３０が迅速にかつ直接容易に補充されることを可能にする開口部１１６ｂを有する。上部カバー１１０、香りパン１１１、および内部カバー１５２は、制限および／または制約なしに、一緒に構築されるかまたは別々に構築され、従来通り一緒に装着されてもよい。
【００７７】
当業者なら、単一または複数の点火器を可能にする他の構成が、本開示の精神および意図から逸脱することなく任意の特定の用途向けに選択され得ることを理解するであろう。当業者は、高温計を含む他のタイプの火炎感知／監視方法が、本開示の精神および意図から逸脱することなく、本明細書に開示されるスマートキャンドルプラットフォーム１０と共に使用され得ることを理解する。
【００７８】
好ましい実施形態を説明してきたたが、スマートキャンドルプラットフォームの他の特徴は、本明細書に例示される実施形態の多くの改変および修正と同様に、当業者なら確実に思いつくはずであり、これらはすべて、本明細書に開示されるスマートキャンドルプラットフォームの以下の精神および範囲から逸脱することなく達成され得る。したがって、本明細書に図示され説明される方法および実施形態は、例示のみを目的としており、本開示の範囲は、スマートキャンドルプラットフォームおよび美的に制御可能な自然照明システムの使用およびアクセスにおいて、機能性、快適性、寿命、楽しさ、および美観を向上させるためのすべての方法および／または構造に及ぶ。さらに、本明細書に図示され説明される方法および実施形態は、下記の特許請求の範囲にそのように記載されない限り、スマートキャンドルプラットフォームの範囲および使用方法を決して限定するものではない。
【００７９】
スマートキャンドルプラットフォームは、本明細書に図示され説明される特定の実施形態に限定されるものではなく、スマートキャンドルプラットフォームの様々な利点および／または特徴を提供するためのすべての同様の装置および方法に適用されるものであることに留意されたい。説明された実施形態からの修正および改変は、スマートキャンドルプラットフォームの精神および範囲から逸脱することなく、当業者なら思いつくであろう。本明細書に開示されるスマートキャンドルプラットフォームは、テキストおよび／または図面から明らかでありかつ／または本質的に開示される、言及された個々の特徴の１つまたは複数のすべての代替の組合せに及ぶことが理解される。これらの異なる組合せはすべて、スマートキャンドルプラットフォームおよび／またはその構成要素の様々な代替態様を構成する。本明細書に記載の実施形態は、スマートキャンドルプラットフォームおよび／またはその構成要素を実施するために知られている最良のモードを説明し、当業者が同じものを利用することを可能にする。特許請求の範囲は、先行技術で認められる範囲で代替実施形態を含むと解釈されるべきである。
【００８０】
スマートキャンドルプラットフォームについて、好ましい実施形態および特定の例に関連して説明してきたが、本明細書の実施形態は、あらゆる面で限定的ではなく例示的であることを意図しているので、範囲が記載されている特定の実施形態に制限されることを意図するものではない。
【００８１】
特に明記しない限り、本明細書に記載されているどの方法も、その方法のステップが特定の順序で実行されることを要求すると解釈されることを決して意図するものではない。したがって、方法のある請求項が、実際にその請求項の各ステップが続くべき順序を記載していない場合、あるいは、そうでなく、ステップが特定の順序に制限されるべきであることが特許請求の範囲または本明細書に具体的に記載されていない場合、あらゆる点で順序が推測されることを決して意図するものではない。これは、ステップの配置または運転フローに関する論理の問題、文法構成または句読点に由来する明白な意味、本明細書に記載されている実施形態の数またはタイプ、を含むがこれに限定されるものではない、解釈のためのあらゆる考えられる不明確な基準にも当てはまる。様々な修正および変形が範囲または精神から逸脱することなくなされ得ることは、当業者には明らかであろう。他の実施形態は、本明細書に開示される仕様および実施を考慮することから当業者には明らかであろう。仕様および例は例示としてのみ考慮されることを意図しており、真の範囲および精神は、以下の特許請求の範囲によって示される。
【符号の説明】
【００８２】
図１〜５
１  照明システム
２  外部シェル
２ａ  開口部
２ｂ  リム
３  中間フレーム
３ａ  中間フレーム上部環状棚
３ｂ  中間フレーム下部環状棚
３ｃ  中間フレーム軸方向区画
３ｄ  中間フレーム下部タブ
３ｅ  中間フレーム排気通路
３ｆ  中間フレーム開口
３ｇ  中間フレーム開口部
３ｈ  中間フレーム固定アセンブリ
３ｉ  中間フレームノッチ
３ｊ  中間フレームベース
４  ベース
４ａ  ベースキャップ
４ｂ  ベース突条
４ｃ  ベース棚
４ｄ  ベースばねマウント
４ｅ  ベース空隙
４ｆ  ベース締結具アセンブリ
４ｇ  ベースタブ
５  キャンドルアセンブリ
６  燃料カートリッジ
７  点火器（アーク）
８  ファン
９  オン／オフスイッチ
１０  スマートキャンドルプラットフォームおよびシステム
１１  センサシステム
１２  連続性センサ
１３  加速度計
１４  ジャイロスコープ
１５  近接センサ（磁場）
１６  近接センサ（視覚）
１７  燃料レベルセンサ
１８  火炎センサ
２０  制御システム
２１  点火制御システム
２１ａ  点火制御システム（電気リード線）
２１ｂ  点火器（１つまたは複数）
２２  消火システム
２３  赤外線（ＩＲ）遠隔制御装置
２４  タイマ
２５  燃料制御システム
２６  電源（電池）
２７  熱電充電システム（ペルチエ）
２８  燃料供給システム
２９  燃料貯蔵システム
３０  通信システム
３１  内部カバー
３１ａ  内部カバー（主開口）
３１ｂ  内部カバー（固定アセンブリ）
３１ｃ  内部カバー（棚）
３１ｄ  内部カバー（プラトー）
３２  上部カバー
３３  排気ダクト
３４  点火器トラフ
３５  点火器アセンブリ
３６  点火器リング
３６ａ  点火器チャネル
３６ｂ  点火器排気開口
３７  点火器マウント
３８  主ＰＣＢ
３９  センサＰＣＢ
４０  フィーダ管
４０ａ  開口
４０ｂ  チャネル
４１  ワックスキャンドル
４１ａ  芯
４２  ばねロック（プッシャ）
４３  ばね
４４  ベース足
４５  ＩＲセンサ
４６  サーモパイル
４７  香りリング
７０  アクセス制限カバー（図示せず）
７２  ロッキングタブ
１００  火炎
図６〜２９
１１０  上部カバー
１１１  香りパン
１１１ａ  縁部
１１２  ホルダ
１１３  香りリング
１１４  香りパンカバー
１１４ａ  香りパンカバー（穴あり）
１１４ｂ  香りパンカバー（穴なし）
１１６  開口部
１１６ａ  開口部（香りパンカバー）
１１６ｂ  開口部（香りパン）
１１６ｃ  開口部（香りリング）
１１７  開口
１１７ａ  開口（香りパンカバー）
１１７ｂ  開口（香りパン）
１１７ｃ  開口（香りリング）
１２０  点火システム
１２１  点火ＰＣＢ
１２２  点火器フレーム
１２２ａ  点火器上部フレーム
１２３  内部点火ワイヤルーティング
１２４  点火器プロング
１２５  点火器カバー
１２６  点火器ベース
１２７  点火器フィンガ
１２８  点火器
１２８ａ  標準の点火器アセンブリ
１２８ｂ  オプションの点火器アセンブリ
１２９  点火器ワイヤ
１３０  カートリッジ（燃料源）
１３１  ボトル／容器
１３１ａ  長時間ボトル
１３１ｂ  標準ボトル
１３２  補充ロック
１３３  燃料材料（油、ワックスなど）
１３４  芯
１３４ａ  芯支持キャップ
１３５  リリースカートリッジ保持溝
１３６  リリースカートリッジ保持
１３７  ベース
１４０  制御システム
１４１  ＩＲ遠隔センサ
１４２  安全先端センサ
１４３  消火ファン
１４４  燃料センサ
１４５  先端検出
１４６  ＵＳＢ充電ポート
１４７  ホイール
１４８  電池
１４９  押しボタン／自動消火
１５０  シェル
１５１  外部シェル
１５２  内部カバー
１５２ａ  支持フレーム
１５２ｂ  保護カバー
１５２ｃ  シェル支持体
１５３  ワックスシェル支持体
１５５  射出成形支持フレーム
１５６  押しボタン
１５７  凹所収納ポケット
１６０  プッシュ／プッシュカム機構
１６１  保持ブラケット
１６２  締結具
１６３  プッシュカム
１６４  ばね
１６４ａ  プッシュ／プッシュばね
１６５  カムワイヤ
１６６  枢動カム
１７１  赤外線（ＩＲ）遠隔制御システム
１７２  燃料制御システム
１７３  オン／オフスイッチ
１７４  点火制御システム
１７５  消火システム
１７６  燃料貯蔵システム
１７７  燃料システム
１７８  タイマ
１７９  パスワード
【図１】
2021518651.tif 000003
【図２】
2021518651.tif 000004
【図２Ａ】
2021518651.tif 000005
【図２Ｂ】
2021518651.tif 000006
【図２Ｂ−１】
2021518651.tif 000007
【図２Ｃ】
2021518651.tif 000008
【図２Ｄ】
2021518651.tif 000009
【図２Ｄ−１】
2021518651.tif 000010
【図２Ｅ】
2021518651.tif 000011
【図２Ｆ】
2021518651.tif 000012
【図３Ａ】
2021518651.tif 000013
【図３Ｂ】
2021518651.tif 000014
【図３Ｂ−１】
2021518651.tif 000015
【図３Ｃ】
2021518651.tif 000016
【図３Ｃ−１】
2021518651.tif 000017
【図３Ｄ】
2021518651.tif 000018
【図３Ｅ】
2021518651.tif 000019
【図４】
2021518651.tif 000020
【図５】
2021518651.tif 000021
【図６】
2021518651.tif 000022
【図６Ａ】
2021518651.tif 000023
【図６Ｂ】
2021518651.tif 000024
【図６Ｃ】
2021518651.tif 000025
【図６Ｄ】
2021518651.tif 000026
【図６Ｅ】
2021518651.tif 000027
【図６Ｆ】
2021518651.tif 000028
【図６Ｇ】
2021518651.tif 000029
【図６Ｈ】
2021518651.tif 000030
【図７Ａ】
2021518651.tif 000031
【図７Ｂ】
2021518651.tif 000032
【図７Ｃ】
2021518651.tif 000033
【図８】
2021518651.tif 000034
【図９】
2021518651.tif 000035
【図１０】
2021518651.tif 000036
【図１１】
2021518651.tif 000037
【図１２Ａ】
2021518651.tif 000038
【図１２Ｂ】
2021518651.tif 000039
【図１２Ｃ】
2021518651.tif 000040
【図１２Ｄ】
2021518651.tif 000041
【図１２Ｅ】
2021518651.tif 000042
【図１３Ａ】
2021518651.tif 000043
【図１３Ｂ】
2021518651.tif 000044
【図１３Ｃ】
2021518651.tif 000045
【図１４Ａ】
2021518651.tif 000046
【図１４Ｂ】
2021518651.tif 000047
【図１４Ｃ】
2021518651.tif 000048
【図１４Ｄ】
2021518651.tif 000049
【図１４Ｅ】
2021518651.tif 000050
【図１５】
2021518651.tif 000051
【図１６】
2021518651.tif 000052
【図１７】
2021518651.tif 000053
【図１８】
2021518651.tif 000054
【図１９】
2021518651.tif 000055
【図２０Ａ】
2021518651.tif 000056
【図２０Ｂ】
2021518651.tif 000057
【図２４】
2021518651.tif 000058
【図２４Ａ】
2021518651.tif 000059
【図２５】
2021518651.tif 000060
【図２６】
2021518651.tif 000061
【図２７】
2021518651.tif 000062
【図２８】
2021518651.tif 000063
【図２９】
2021518651.tif 000064
【図３０】
2021518651.tif 000065
【図３１】
2021518651.tif 000066
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
従来のピラーキャンドルの外観を模倣するように形成された、燃える炎のキャンドルプラットフォームであって、
開口部を有する上部カバーと、
上端と下端を連通する中空内部を有する外部シェルであって、前記上部カバーの前記開口部と整列される第１の開口部を形成する外部シェルと、
前記外部シェル内に配置され、中空内部を形成するように上部開口部が下部開口部に連通される支持フレームと、
中空内部を形成するように上部開口部が下部開口部に連通される保護カバーであって、前記支持フレームと係合し、前記支持フレームを少なくとも部分的に取り囲むように構成された保護カバーと、
前記支持フレームの前記中空内部に少なくとも部分的に配置される燃料容器であって、燃料を保持するように上部および前記上部よりも広い下部を備え、前記燃料が点火されると炎を生成するように構成された芯が、前記燃料容器の上端から延びる、燃料容器と、
前記芯の近くに配置される近接センサであって、前記炎に関連する物体を検出するように構成された近接センサと、
前記物体が前記炎に近いと判定すると、前記炎を消火するように構成された消火システムと
を備える、燃える炎のキャンドルプラットフォーム。
【請求項２】
前記芯の近くに配置される点火器を備える、請求項１に記載の燃える炎のキャンドルプラットフォーム。
【請求項３】
前記燃料容器の位置を監視するようになっている連続性センサを備える、請求項１に記載の燃える炎のキャンドルプラットフォーム。
【請求項４】
前記近接センサが、磁気ベースの近接センサまたは視覚ベースの近接センサの一方である、請求項１に記載の燃える炎のキャンドルプラットフォーム。
【請求項５】
前記点火器が、電子的に制御される点火システムに結合される、請求項２に記載の燃える炎のキャンドルプラットフォーム。
【請求項６】
前記燃料容器がキャニスタとして構成されており、前記芯が、前記キャニスタの上部に配置される開口から突出しており、前記キャニスタの前記上部が、除去可能な蓋を備える、請求項１に記載の燃える炎のキャンドルプラットフォーム。
【請求項７】
前記外部シェルの前記下端と協働して係合するようになっており、前記燃料容器を載せることができるベースを備え、前記ベースが、前記燃料容器を囲むようになっている、請求項１に記載の燃える炎のキャンドルプラットフォーム。
【請求項８】
電子的に制御される複数の点火器を備え、前記複数の点火器の各点火器が、インデキシング可能であり、前記芯の近くに配置される、請求項１に記載の燃える炎のキャンドルプラットフォーム。
【請求項９】
前記近接センサが、電子的に制御される制御システムに結合される、請求項１に記載の燃える炎のキャンドルプラットフォーム。
【請求項１０】
少なくとも１つの追加センサが、前記芯の近くに配置され、前記少なくとも１つの追加センサが、電子的に制御される前記制御システムに結合され、前記少なくとも１つの追加センサが、加速度計、ジャイロスコープ、燃料レベルセンサ、火炎センサ、赤外線センサ、またはサーモパイルセンサを備える、請求項９に記載の燃える炎のキャンドルプラットフォーム。
【請求項１１】
前記制御システムが、オン／オフスイッチ、点火制御システム、前記消火システム、遠隔制御システム、タイマ、燃料制御システム、燃料供給制御システム、燃料貯蔵制御システム、または燃料レベルシステムのうちの1つ以上を備える、請求項９に記載の燃える炎のキャンドルプラットフォーム。
【請求項１２】
点火アセンブリが、前記支持フレームの上端に配置され、前記支持フレームの近くに配置される電池に電気的に接続される、請求項１に記載の燃える炎のキャンドルプラットフォーム。
【請求項１３】
点火アセンブリが、前記支持フレームの上端にかつ香りパンの近くに配置される、請求項１に記載の燃える炎のキャンドルプラットフォーム。
【請求項１４】
香りリングが、前記上部カバーの前記開口部の近くに配置される、請求項１に記載の燃える炎のキャンドルプラットフォーム。
【請求項１５】
前記香りリングが、前記上部カバーの前記開口部の近くに配置される香りパン内に配置される、請求項１４に記載の燃える炎のキャンドルプラットフォーム。
【国際調査報告】
2021518651.tif 000067